(57)【特許請求の範囲】
【請求項１】
液晶パネルと、前記液晶パネルの表示領域を複数に分割した各セグメント領域の輝度を個別に制御可能なバックライト部とを有する液晶表示部と、
画像データを取得する画像データ取得部と、
前記各セグメント領域に対応する前記画像データの輝度情報に基づき、前記各セグメント領域の輝度設定値を算出する輝度設定値算出部と、
前記画像データの映像信号レベルの統計量に基づき定められる係数を前記各セグメント領域の前記輝度設定値に乗算することで、前記各セグメント領域の輝度を制御する輝度制御部と、
前記輝度設定値算出部の算出結果に基づき、前記統計量として、前記画像データの一画面分の前記各セグメント領域の前記輝度設定値を積算して第１の積算値を算出する積算値算出部と、
予め定められている視聴に適した前記第１の積算値の範囲を第１の閾値として記憶する閾値記憶部と、を備え、
前記輝度制御部は、前記第１の積算値が前記第１の閾値の範囲よりも大きい場合には、前記係数として係数ＫＵ（ＫＵ＜１）を定め、当該第１の積算値が前記第１の閾値の範囲内となるまで各前記輝度設定値に対して前記係数ＫＵを繰り返し乗じ、前記第１の積算値が前記第１の閾値の範囲よりも小さい場合には、前記係数として係数ＫＬ（ＫＬ＞１）を定め、当該第１の積算値が前記第１の閾値の範囲内となるまで各前記輝度設定値に対して前記係数ＫＬを繰り返し乗じる液晶表示装置。
【請求項２】
前記画像データ取得部が動画像データを取得した場合に、
前記輝度設定値算出部は、前記動画像データを構成するフレーム画像データごとに、前記各セグメント領域の前記輝度設定値を算出し、
前記積算値算出部は、前記各フレーム画像データを複数に分割したフレーム群ごとに前記輝度設定値を積算して、前記フレーム群ごとの第２の積算値を算出し、
前記輝度制御部は、予め定められている視聴に適した前記第２の積算値の範囲を示す第２の閾値を取得する第１の取得処理と、前記積算値算出部が算出した前記第２の積算値が前記第２の閾値の範囲外となる場合には、前記第２の積算値を前記第２の閾値の範囲内に補正するための前記係数を定め、当該第２の積算値に対応する前記フレーム群の各前記輝度設定値に当該係数を乗算して補正する第１の補正処理と、を行う請求項１記載の液晶表示装置。
【請求項３】
前記第１の取得処理では、前記第１の閾値と、前記フレーム群に属する前記フレーム画像データの数とに基づき決定した前記第２の閾値を取得する請求項２記載の液晶表示装置。
【請求項４】
前記第１の補正処理は、前記第２の積算値が前記第２の閾値の範囲よりも大きい場合には、前記係数として係数ＫＵ（ＫＵ＜１）を定め、当該第２の積算値が前記第２の閾値の範囲内となるまで各前記輝度設定値に対して前記係数ＫＵを繰り返し乗じ、前記第２の積算値が前記第２の閾値の範囲よりも小さい場合には、前記係数として係数ＫＬ（ＫＬ＞１）を定め、当該第２の積算値が前記第２の閾値の範囲内となるまで各前記輝度設定値に対して前記係数ＫＬを繰り返し乗じる請求項２または３記載の液晶表示装置。
【請求項５】
前記フレーム群内でのシーンチェンジを検出するシーンチェンジ検出部を備え、
前記積算値算出部は、前記シーンチェンジ検出部によりシーンチェンジが検出された場合には、前記フレーム群内のシーンごとに前記各セグメント領域の前記輝度設定値を積算して、前記シーンごとの第３の積算値を算出し、
前記輝度制御部は、前記シーンチェンジが検出された場合に、予め定められている視聴に適した前記第３の積算値の範囲を示す前記シーンごとの第３の閾値を取得する第２の取得処理と、前記積算値算出部が算出した前記第３の積算値が対応する前記第３の閾値の範囲外となる場合には、この第３の積算値を当該第３の閾値の範囲内に補正するための前記係数を定め、当該第３の積算値に対応する前記シーンの各前記輝度設定値に当該係数を乗算して補正する第２の補正処理と、を行う請求項２から４のいずれか１項に記載の液晶表示装置。
【請求項６】
前記第２の取得処理では、前記第１の閾値と各前記シーンにそれぞれ属する前記フレーム画像データの数とに基づき決定した前記第３の閾値を取得する請求項５記載の液晶表示装置。
【請求項７】
前記第２の補正処理は、前記第３の積算値が前記第３の閾値の範囲よりも大きい場合には、前記係数として係数ＫＵ（ＫＵ＜１）を定め、当該第３の積算値が前記第３の閾値の範囲内となるまで各前記輝度設定値に対して前記係数ＫＵを繰り返し乗じ、前記第３の積算値が前記第３の閾値の範囲よりも小さい場合には、前記係数として係数ＫＬ（ＫＬ＞１）を定め、当該第３の積算値が前記第３の閾値の範囲内となるまで各前記輝度設定値に対して前記係数ＫＬを繰り返し乗じる乗算処理を含む請求項５または６記載の液晶表示装置。
【請求項８】
前記液晶表示部の周囲の照度を検出する照度検出部と、
前記照度検出部の検出結果に基づき、前記照度が高くなるのに従い前記第１の閾値の上限値と下限値とを高くし、前記照度が低くなるのに従い前記上限値及び前記下限値を低くする第１の閾値変更制御部と、
を備える請求項１から７のいずれか１項に記載の液晶表示装置。
【請求項９】
前記第１の閾値変更制御部は、前記照度検出部が検出した前記照度が予め定めた照度上限値よりも大きくなった場合には前記上限値及び前記下限値を一定値に固定する請求項８記載の液晶表示装置。
【請求項１０】
前記表示領域から視聴者までの視聴距離を判別する視聴距離判別部と、
前記視聴距離判別部の判別結果に基づき、前記視聴距離が長くなるのに従い前記第１の閾値の上限値と下限値とを高くし、前記視聴距離が短くなるのに従い前記上限値及び前記下限値を低くする第２の閾値変更制御部と、
を備える請求項１から９のいずれか１項に記載の液晶表示装置。
【請求項１１】
前記第２の閾値変更制御部は、前記視聴距離判別部が判別した前記視聴距離が予め定めた距離上限値よりも大きくなった場合には前記上限値及び前記下限値を一定値に固定する請求項１０記載の液晶表示装置。
【請求項１２】
外部電源及びバッテリのいずれか一方からの電力供給を受ける電源部と、
前記電源部が前記バッテリから電力供給を受けているか否かを判定する電源判定部と、
前記電源判定部の判定結果に基づき、前記電源部が前記バッテリから電力供給を受けている場合には、前記外部電源から電力供給を受けている場合よりも前記第１の閾値の上限値と下限値とを低くする第３の閾値変更制御部と、
を備える請求項１から１１のいずれか１項に記載の液晶表示装置。
【請求項１３】
前記第１の閾値は、前記表示領域に表示される表示画像の平均輝度レベルが１００％である場合において表示輝度のピークが５００ｃｄ／ｍ２以上で１０００ｃｄ／ｍ２以下となる前記第１の積算値の範囲を定めたものである請求項１から１２のいずれか１項記載の液晶表示装置。
【発明の詳細な説明】
【技術分野】
【０００１】  本発明は、バックライトローカルディミング制御を行う液晶表示装置に関する。
【背景技術】
【０００２】  タブレット端末やスマートフォンなどの携帯端末、デジタルカメラ、ＴＶ、及び各種モニタには、液晶表示装置が設けられているものが多い。液晶表示装置は、光の透過率を調整可能な液晶素子が２次元配列されてなる液晶パネルと、この液晶パネルに向けて光を照射するバックライトとを備えている。【０００３】  近年、液晶表示装置として、液晶パネルの表示領域を複数に分割した各セグメント領域を個別に照明可能なバックライト部を有しており、各セグメント領域の輝度を個別に制御するバックライトローカルディミング制御（以下、ＢＬＤ制御という）を行うものが知られている。ＢＬＤ制御では、画像に局所的に輝度が低い暗部と局所的に輝度が高い明部とが含まれている場合に、この暗部に対応するセグメント領域のバックライト輝度を下げることで暗部の黒浮きが低減される。これにより、表示領域に表示される表示画像のコントラスト比が高くなるので、表示画像の画質が向上する。【０００４】  このようなＢＬＤ制御を行う液晶表示装置（以下、単に液晶表示装置という）では、表示画像の画質のさらなる向上を図るために、各セグメント領域の表示輝度を様々な方法で制御している。なお、本明細書でいう「表示輝度」とは、液晶パネルの画素（液晶素子）から観測される輝度であり、画素の透過率とバックライト部の輝度（バックライト輝度という）との積により決定される。【０００５】  特許文献１に記載の液晶表示装置は、各セグメント領域の中で高輝度に表示させる高輝度領域の範囲が小さくなるほど、高輝度領域のバックライト輝度（∝表示輝度）を高くしている。これにより、例えば、夜空の月を撮影して得られた夜景画像を表示する場合に、夜景画像内の月に対応したセグメント領域のバックライト輝度を高くすることができるので、夜景画像のコントラスト比を向上させることができる。【０００６】  特許文献２に記載の液晶表示装置は、各セグメント領域のバックライト輝度（∝表示輝度）の上限値と下限値とをそれぞれ設定して、各セグメント領域のバックライト輝度が上限値と下限値との間に収まるようにバックライト部を制御している（図１０の（Ｂ）部分参照）。これにより、前述の夜景画像のような背景のほぼ全てが黒で一部に白いパターンが含まれる画像を表示する場合に、この白いパターンの周囲までバックライト部の光が漏れる、いわゆる「ハロー」の発生が抑えられる。【０００７】  特許文献３に記載の液晶表示装置は、各セグメント領域の光源の光量が入力画像の明るさに基づいた所定の基準値以上となる場合に、各光源の光量を減光させている。これにより、表示画像が高輝度画像から低輝度画像に変化するシーンチェンジの際に、各光源が画面を不自然に明るく照明する異常照明状態の発生が防止される。
【先行技術文献】
【特許文献】
【０００８】
【特許文献１】特開２００９−２６５６７１号公報
【特許文献２】特開２０１２−００８３８８号公報
【特許文献３】特開２０１１−１５８４９９号公報
【発明の概要】
【発明が解決しようとする課題】
【０００９】  しかしながら、特許文献１の液晶表示装置では、高輝度領域の範囲が小さくなるほどこの高輝度領域のバックライト輝度が高くなるが、表示画像の見易さや眩しさは高輝度よりも低い中輝度以下の輝度領域の大きさに強く影響される。このため、特許文献１の液晶表示装置では、前述のような特定の夜景画像以外の画像については必ずしも見易くなるとは限らない。特に特許文献１では高輝度領域のみに注目しているので、例えば星空のような孤立輝点を多数含む画像の表示を行う場合に、表示画像が眩しく感じられることがある。また、スライドショー表示や動画表示などを行う場合に、個々の表示画像ごとに高輝度領域の数（割合）が変わることで、表示画像ごとの消費電力のばらつきが大きくなる。その結果、表示画像に応じてバックライト部に供給する電力が変動するので、電源が大型となり、製造コストが上昇するとともに消費電力も増える。【００１０】  また、特許文献２の液晶表示装置ように各セグメント領域の輝度の上限値と下限値とを設定すると、コントラスト比を向上させるというローカルディミング制御のメリットが少なくなる。特に特許文献２のように輝度の上限値を設定して画像を単純に暗くすると、本来、高いコントラスト比で表示すべき各セグメント領域の画像が低いコントラスト比で表示される（図１０の（Ｂ）部分参照）。このため、表示画像の画質が低下するおそれがある。【００１１】  さらに、特許文献３の液晶表示装置も、シーンチェンジの際に予め定めた基準に基づいて各セグメント領域の光源の光量（バックライト輝度）を低減させているだけである。このため、特許文献３の液晶表示装置においても、特許文献２と同様に、本来、高いコントラスト比で表示すべき各セグメント領域の画像が低いコントラスト比で表示されるおそれがある。【００１２】  ところで、液晶表示装置において高画質な画像を表示するためには、表示輝度を高く設定することが有効である。特に液晶パネルが高解像度化するほど、この効果は顕著になるので、高輝度に設定する必要がある。しかし、特に表示画像の平均輝度レベル（以下、ＡＰＬ：Average Picture Level）が高い画像、すなわち、全体が明るい画像で高輝度に設定すると、眼に入る光量が増えることで、眩しく感じられるという弊害が生じる。例えば明るい室内環境においては、ＡＰＬが１００％の画像（すなわち、全体が白の画像）を、視聴距離０．５ｍで視聴した場合に、表示輝度が６００ｃｄ／ｍ２以上になると眩しさを感じるとの報告がある。【００１３】  一方、ＡＰＬが１０％以下の暗部が多く含まれる表示画像を同条件で視聴した場合に、表示画像内の明部の表示輝度が１０００ｃｄ／ｍ２程度であっても眩しく感じず、逆に表示画像が鮮明に見えるとの報告がある。しかし、この場合には、画面全体のバックライト輝度を上げることになり、暗部では黒浮きが発生し画質が低下するという問題がある。【００１４】  また、眩しさを抑えるため、表示輝度を６００ｃｄ／ｍ２以下に設定すると、ＡＰＬが高い画像では眩しくなくなるが、逆にＡＰＬが低い画像では表示輝度が不十分となり、表示画像の鮮明さが損なわれるという問題がある。従来のＢＬＤ制御方式の液晶表示装置は、表示画像の明部においては表示領域の全画面を均一に照明する非ＢＬＤ制御方式の表示輝度を再現するに過ぎず、上記の問題を解決することができない。【００１５】  本発明の目的は、視聴者が眩しく感じることがない視聴に適した鮮明な画像を低消費電力で表示可能な液晶表示装置を提供することにある。
【課題を解決するための手段】
【００１６】  本発明の目的を達成するための液晶表示装置は、液晶パネルと、液晶パネルの表示領域を複数に分割した各セグメント領域の輝度を個別に制御可能なバックライト部とを有する液晶表示部と、画像データを取得する画像データ取得部と、各セグメント領域に対応する画像データの輝度情報に基づき、各セグメント領域の輝度設定値を算出する輝度設定値算出部と、画像データの映像信号レベルの統計量に基づき定められる係数を各セグメント領域の輝度設定値に乗算することで、各セグメント領域の輝度を制御する輝度制御部と、を備える。【００１７】  本発明によれば、視聴者が眩しく感じることがない視聴に適した鮮明な画像を表示することができる。特に平均輝度レベル（ＡＰＬ）が低い画像を表示する際に、暗部での黒浮きの発生や表示輝度が不十分になることが抑制されるので、高コントラスト比の画像を表示することができる。【００１８】  輝度設定値算出部の算出結果に基づき、統計量として、画像データの一画面分の各セグメント領域の輝度設定値を積算して第１の積算値を算出する積算値算出部と、予め定められている視聴に適した第１の積算値の範囲を第１の閾値として記憶する閾値記憶部と、を備え、輝度制御部は、積算値算出部が算出した第１の積算値が第１の閾値の範囲外となる場合に、第１の積算値を第１の閾値の範囲内に補正するための係数を定め、係数を各セグメント領域の輝度設定値に乗算して補正することが好ましい。これにより、視聴者が眩しく感じることがない視聴に適した鮮明な画像を表示することができる。また、画像毎の最高輝度のばらつきを低く抑えることができる。【００１９】  輝度制御部は、第１の積算値が第１の閾値の範囲よりも大きい場合には、係数として係数ＫＵ（ＫＵ＜１）を定め、第１の積算値が第１の閾値の範囲内となるまで各輝度設定値に対して係数ＫＵを繰り返し乗じ、第１の積算値が第１の閾値の範囲よりも小さい場合には、係数として係数ＫＬ（ＫＬ＞１）を定め、第１の積算値が第１の閾値の範囲内となるまで各輝度設定値に対して係数ＫＬを繰り返し乗じることが好ましい。これにより、視聴者が表示画像を眩しく感じることが防止される。また、表示画像が暗くなり過ぎて不鮮明になることが防止される。【００２０】  画像データ取得部が動画像データを取得した場合に、輝度設定値算出部は、動画像データを構成するフレーム画像データごとに、各セグメント領域の輝度設定値を算出し、積算値算出部は、各フレーム画像データを複数に分割したフレーム群ごとに輝度設定値を積算して、フレーム群ごとの第２の積算値を算出し、輝度制御部は、予め定められている視聴に適した第２の積算値の範囲を示す第２の閾値を取得する第１の取得処理と、積算値算出部が算出した第２の積算値が第２の閾値の範囲外となる場合には、第２の積算値を第２の閾値の範囲内に補正するための係数を定め、第２の積算値に対応するフレーム群の各輝度設定値に係数を乗算して補正する第１の補正処理と、を行うことが好ましい。これにより、視聴者が眩しく感じることがない視聴に適した鮮明な動画像を表示することができる。また、フレーム画像単位で輝度設定値の補正を行う場合と比較して動画像のちらつきが低減されるとともに、��算負荷を減らすことができる。【００２１】  第１の取得処理では、第１の閾値と、フレーム群に属するフレーム画像データの数とに基づき決定した第２の閾値を取得することが好ましい。【００２２】  第１の補正処理は、第２の積算値が第２の閾値の範囲よりも大きい場合には、係数として係数ＫＵ（ＫＵ＜１）を定め、第２の積算値が第２の閾値の範囲内となるまで各輝度設定値に対して係数ＫＵを繰り返し乗じ、第２の積算値が第２の閾値の範囲よりも小さい場合には、係数として係数ＫＬ（ＫＬ＞１）を定め、第２の積算値が第２の閾値の範囲内となるまで各輝度設定値に対して係数ＫＬを繰り返し乗じることが好ましい。これにより、視聴者が表示画像を眩しく感じることが防止される。また、表示画像が暗くなり過ぎて不鮮明になることが防止される。【００２３】  フレーム群内でのシーンチェンジを検出するシーンチェンジ検出部を備え、積算値算出部は、シーンチェンジ検出部によりシーンチェンジが検出された場合には、フレーム群内のシーンごとに各セグメント領域の輝度設定値を積算して、シーンごとの第３の積算値を算出し、輝度制御部は、シーンチェンジが検出された場合に、予め定められている視聴に適した第３の積算値の範囲を示すシーンごとの第３の閾値を取得する第２の取得処理と、積算値算出部が算出した第３の積算値が対応する第３の閾値の範囲外となる場合には、この第３の積算値を第３の閾値の範囲内に補正するための係数を定め、第３の積算値に対応するシーンの各輝度設定値に係数を乗算して補正する第２の補正処理と、を行うことが好ましい。これにより、フレーム群内でシーンチェンジが発生した場合でも各輝度設定値に対して最適な補正を行うことができる。【００２４】  第２の取得処理では、第１の閾値と各シーンにそれぞれ属するフレーム画像データの数とに基づき決定した第３の閾値を取得することが好ましい。【００２５】  第２の補正処理は、第３の積算値が第３の閾値の範囲よりも大きい場合には、係数として係数ＫＵ（ＫＵ＜１）を定め、第３の積算値が第３の閾値の範囲内となるまで各輝度設定値に対して係数ＫＵを繰り返し乗じ、第３の積算値が第３の閾値の範囲よりも小さい場合には、係数として係数ＫＬ（ＫＬ＞１）を定め、第３の積算値が第３の閾値の範囲内となるまで各輝度設定値に対して係数ＫＬを繰り返し乗じる乗算処理を含むことが好ましい。これにより、視聴者が表示画像を眩しく感じることが防止される。また、表示画像が暗くなり過ぎて不鮮明になることが防止される。【００２６】  液晶表示部の周囲の照度を検出する照度検出部と、照度検出部の検出結果に基づき、照度が高くなるのに従い第１の閾値の上限値と下限値とを高くし、照度が低くなるのに従い上限値及び下限値を低くする第１の閾値変更制御部と、を備えることが好ましい。これにより、照度の大きさに関係なく、視聴者が眩しく感じることがない視聴に適した鮮明な画像を表示することができる。【００２７】  第１の閾値変更制御部は、照度検出部が検出した照度が予め定めた照度上限値よりも大きくなった場合には上限値及び下限値を一定値に固定することが好ましい。【００２８】  表示領域から視聴者までの視聴距離を判別する視聴距離判別部と、視聴���離判別部の判別結果に基づき、視聴距離が長くなるのに従い第１の閾値の上限値と下限値とを高くし、視聴距離が短くなるのに従い上限値及び下限値を低くする第２の閾値変更制御部と、を備えることが好ましい。これにより、視聴距離に関係なく、視聴者が眩しく感じることがない視聴に適した鮮明な画像を表示することができる。【００２９】  第２の閾値変更制御部は、視聴距離判別部が判別した視聴距離が予め定めた距離上限値よりも大きくなった場合には上限値及び下限値を一定値に固定することが好ましい。【００３０】  外部電源及びバッテリのいずれか一方からの電力供給を受ける電源部と、電源部がバッテリから電力供給を受けているか否かを判定する電源判定部と、電源判定部の判定結果に基づき、電源部がバッテリから電力供給を受けている場合には、外部電源から電力供給を受けている場合よりも第１の閾値の上限値と下限値とを低くする第３の閾値変更制御部と、を備えることが好ましい。これにより、バッテリから電力供給がなされている場合には消費電力を減らすことができる。【００３１】  第１の閾値は、表示領域に表示される表示画像の平均輝度レベルが１００％である場合において表示輝度のピークが５００ｃｄ／ｍ２以上で１０００ｃｄ／ｍ２以下となる第１の積算値の範囲を定めたものであることが好ましい。これにより、視聴者が眩しく感じることがない視聴に適した鮮明な画像が得られる。【００３２】  画像データ取得部が取得した画像データに基づき、統計量として画像データの一画面分の平均輝度レベルを算出する平均輝度レベル算出部と、予め定められている視聴に適した平均輝度レベルと係数との対応関係を記憶した対応関係記憶部と、を備え、輝度制御部は、平均輝度レベル算出部の算出結果に基づき対応関係記憶部に記憶されている対応関係を参照して係数を定め、係数を各セグメント領域の輝度設定値に乗算することが好ましい。これにより、視聴者が眩しく感じることがない視聴に適した鮮明な画像を表示することができる。また、演算は簡易であり、ＢＬＤ制御のための処理と並行して係数が求められるため、処理を高速化できるとともに、装置（システム）を低コスト化することができる。【００３３】  画像データ取得部が動画像データを取得した場合に、輝度設定値算出部は、動画像データを構成するフレーム画像データごとに、各セグメント領域の輝度設定値を算出し、平均輝度レベル算出部は、各フレーム画像データを複数に分割したフレーム群ごとに、フレーム群に含まれる任意のフレーム画像データの平均輝度レベルを算出し、輝度制御部は、フレーム群ごとの平均輝度レベル算出部の算出結果に基づき対応関係を参照してフレーム群ごとの係数を定め、係数を対応するフレーム群の各輝度設定値に乗算することが好ましい。これにより、視聴者が眩しく感じることがない視聴に適した鮮明な動画像を表示することができる。また、フレーム画像単位で輝度設定値の補正を行う場合と比較して動画像のちらつきが低減されるとともに、演算負荷を減らすことができる。【００３４】  フレーム群内でのシーンチェンジを検出するシーンチェンジ検出部を備え、平均輝度レベル算出部は、シーンチェンジ検出部によりシーンチェンジが検出された場合���は、フレーム群内のシーンごとに、シーンに含まれる任意のフレーム画像データの平均輝度レベルを算出し、輝度制御部は、シーンチェンジが検出された場合に、シーンごとの平均輝度レベル算出部の算出結果に基づき対応関係を参照してシーンごとの係数を定め、係数を対応するシーンの各輝度設定値に乗算することが好ましい。これにより、フレーム群内でシーンチェンジが発生した場合でも各輝度設定値に対して最適な補正を行うことができる。【００３５】  液晶表示部の周囲の照度を検出する照度検出部を備え、対応関係記憶部は、複数の異なる照度ごとに定められた複数の対応関係を記憶し、輝度制御部は、対応関係記憶部に記憶されている複数の対応関係の中から照度検出部の検出結果に対応する対応関係を選択し、この対応関係に基づき係数を定めることが好ましい。これにより、照度の大きさに関係なく、視聴者が眩しく感じることがない視聴に適した鮮明な画像を表示することができる。【００３６】  表示領域から視聴者までの視聴距離を判別する視聴距離判別部を備え、対応関係記憶部は、複数の異なる視聴距離ごとに定められた複数の対応関係を記憶し、輝度制御部は、対応関係記憶部に記憶されている複数の対応関係の中から視聴距離判別部の判別結果に対応する対応関係を選択し、この対応関係に基づき係数を定めることが好ましい。これにより、視聴距離に関係なく、視聴者が眩しく感じることがない視聴に適した鮮明な画像を表示することができる。【００３７】  外部電源及びバッテリのいずれか一方からの電力供給を受ける電源部と、電源部がバッテリから電力供給を受けているか否かを判定する電源判定部と、を備え、対応関係記憶部は、電源部への電力供給状態に応じてそれぞれ定められた２種類の対応関係を記憶し、輝度制御部は、対応関係記憶部に記憶されている２種類の対応関係の中から電源判定部の判定結果に対応する対応関係を選択し、この対応関係に基づき係数を定めることが好ましい。これにより、電源の種類に応じて輝度設定値を増減させることができるので、例えば、バッテリから電力供給がなされている場合には輝度設定値を低くすることで、消費電力を減らすことができる。【００３８】  輝度制御部は、表示領域に表示される表示画像の平均輝度レベルが１００％である場合において表示輝度のピークが５００ｃｄ／ｍ２以上で１０００ｃｄ／ｍ２以下を満たす係数を定めることが好ましい。これにより、視聴者が眩しく感じることがない視聴に適した鮮明な画像が得られる。
【発明の効果】
【００３９】  本発明の液晶表示装置は、画像データの映像信号レベルの統計量に基づき定められる係数を各セグメント領域の輝度設定値に乗算することで、各セグメント領域の輝度を制御するようにしたので、視聴者が眩しく感じることがない視聴に適した鮮明な画像を低消費電力で表示することができる。
【図面の簡単な説明】
【００４０】
【図１】図１はタブレット端末の斜視図である。
【図２】図２は液晶表示部の分解斜視図である。
【図３】図３はタブレット端末の電気的構成を示すブロック図である。
【図４】図４は第１実施形態のタブレット端末のＣＰＵの機能ブロック図である。
【図５】図５は従来の階調補正処理を説明するための説明図である。
【図６】図６は本発明の階調補正処理を説明するための説明図である。
【図７】図７は閾値の上限値ＵＬと下限値ＬＬを説明するための説明図である。
【図８】図８は第１実施形態の表示制御処理の流れを示したフローチャートである。
【図９】図９は第１実施形態の輝度設定値の補正処理の流れを示したフローチャートである。
【図１０】図１０は輝度設定値の補正処理の効果（高コントラスト比）を説明するための説明図である。
【図１１】図１１は輝度設定値の補正処理の効果（低消費電力化）を説明するための説明図である。
【図１２】図１２は第２実施形態のタブレット端末のＣＰＵの機能ブロック図である。
【図１３】図１３は第２実施形態の表示制御処理の流れを示したフローチャートである。
【図１４】図１４は第２実施形態における動画表示の際の輝度設定値の算出、積算、及び補正のタイミングを説明するための説明図である。
【図１５】図１５は第２実施形態の輝度設定値の補正処理の効果（低消費電力化）を説明するための説明図である。
【図１６】図１６は第３実施形態のタブレット端末のＣＰＵの機能ブロック図である。
【図１７】図１７は第３実施形態の表示制御処理の流れを示したフローチャートである。
【図１８】図１８は第３実施形態の輝度設定値の補正処理の流れを示したフローチャートである。
【図１９】図１９は第３実施形態における動画表示の際の輝度設定値の算出、積算、及び補正のタイミングを説明するための説明図である。
【図２０】図２０は第４実施形態のタブレット端末のＣＰＵの機能ブロック図である。
【図２１】図２１は第４実施形態の表示制御処理の流れを示したフローチャートである。
【図２２】図２２は第４実施形態の輝度設定値の補正処理の流れを示したフローチャートである。
【図２３】図２３は第４実施形態における動画表示の際の輝度設定値の算出、積算、及び補正のタイミングを説明するための説明図である。
【図２４】図２４は第５実施形態のタブレット端末のＣＰＵの機能ブロック図である。
【図２５】図２５は照度と、積算値の上限値及び下限値との対応関係を示したグラフである。
【図２６】図２６は第６実施形態のタブレット端末のＣＰＵの機能ブロック図である。
【図２７】図２７は視聴距離と、積算値の上限値及び下限値との対応関係を示したグラフである。
【図２８】図２８は第７実施形態のタブレット端末のＣＰＵの機能ブロック図である。
【図２９】図２９は第８実施形態のタブレット端末のＣＰＵの機能ブロック図である。
【図３０】図３０はテーブルを説明するための説明図である。
【図３１】図３１は第８実施形態の静止画像の表示制御処理の流れを示したフローチャートである。
【図３２】図３２は第８実施形態の動画像の表示制御処理の流れを示したフローチャートである。
【図３３】図３３は第９実施形態のタブレット端末のＣＰＵの機能ブロック図である。
【図３４】図３４は第９実施形態においてシーンチェンジが発生しない場合の輝度設定値の補正処理の流れを示したフローチャートである。
【図３５】図３５は第９実施形態においてシーンチェンジが発生した場合の輝度設定値の補正処理の流れを示したフローチャートである。
【図３６】図３６はシーンチェンジ検出処理の流れを示したフローチャートである。
【図３７】図３７は図３５中の輝度設定値の補正処理の流れを示したフローチャートである。
【図３８】図３８は第１０実施形態のタブレット端末のＣＰＵの機能ブロック図である。
【図３９】図３９は通常及び高照度用テーブルを説明するための説明図である。
【図４０】図４０は第１１実施形態のタブレット端末のＣＰＵの機能ブロック図である。
【図４１】図４１は通常及び遠距離用テーブルを説明するための説明図である。
【図４２】図４２は第１２実施形態のタブレット端末のＣＰＵの機能ブロック図である。
【図４３】図４３はＡＣ電源用及びバッテリ用テーブルを説明するための説明図である。
【図４４】図４４は第１３実施形態のタブレット端末のＣＰＵの機能ブロック図である。
【図４５】図４５は第１３実施形態の表示制御処理の流れを示したフローチャートである。
【発明を実施するための形態】
【００４１】  ［第１実施形態］  ＜タブレット端末の構成＞  図１に示すように、本発明の液晶表示装置に相当するタブレット端末１０は、平板状の筐体１１を有している。筐体１１の一方の面には、液晶表示部１２と、スピーカ１３と、マイクロホン１４と、操作部１５と、カメラ部１６とが設けられている。なお、筐体１１の構成はこれに限定されず、例えば、液晶表示部と他の操作部などの各種入力部とが独立した構成を採用することができる。
【００４２】  図２に示すように、液晶表示部１２は、画像（静止画像および動画像など）や文字情報などを表示するとともに、表示した情報に対するユーザ操作を検出する、いわゆるタッチパネル構造を有している。この液晶表示部１２は、液晶パネル（ＬＣＤ：Liquid Crystal Display）１８と、操作パネル１９と、バックライト部２０とで構成されている。なお、液晶表示部１２の表示サイズは、小型サイズから大型サイズまで特に限定されるものではないが、本実施形態では例えば２０インチである。
【００４３】  液晶パネル１８には、光の透過率を調整可能な多数の液晶素子１８ａ（図３参照）が２次元配列されている。なお、液晶パネル１８として、例えばレンチキュラレンズを備える液晶パネル１８などの立体画像視聴用の各種の液晶パネル１８を用いてもよい。
【００４４】  操作パネル１９は、光透過性を有しており、液晶パネル１８の表示領域上に載置されている。この操作パネル１９は、ユーザ（視聴者）の指や尖筆によって操作される一又は複数の座標を検出するデバイスである。このデバイスをユーザの指や尖筆によって操作すると、操作に起因して発生する検出信号がタブレット端末１０のＣＰＵへ出力される。ＣＰＵは、受信した検出信号に基づいて、液晶パネル１８上の操作位置（例えば座標など）を検出する。
【００４５】  操作パネル１９は、液晶パネル１８を完全に覆う配置となる。この配置を採用した場合に、操作パネル１９は、液晶パネル１８外の領域についてもユーザ操作を検出する機能を備えてもよい。換言すると、操作パネル１９は、液晶パネル１８に重なる重畳部分についての検出領域（以下、この検出領域についても表示領域と称する）と、それ以外の外縁部分についての検出領域（以下、非表示領域と称する）とを備えていてもよい。このような操作パネル１９で採用される位置検出方式としては、マトリクススイッチ方式、抵抗膜方式、表面弾性波方式、赤外線方式、電磁誘導方式、静電容量方式などが挙げられる。
【００４６】  バックライト部２０は、液晶パネル１８の背面側に配置されている。このバックライト部２０は、液晶パネル１８の表示領域を複数に分割した各セグメント領域２２（ｍ）をそれぞれ個別に照明する複数の照明部２３（ｍ）を有している。ここで、セグメント領域２２（ｍ）は、例えば水平１６画素×垂直１６画素の領域である。また、「ｍ」はセグメント領域２２（ｍ）の数を表すものであり、例えば液晶パネル１８の表示領域が６４分割されている場合にはｍ＝０〜６３（または１〜６４）となる。
【００４７】  各照明部２３（ｍ）には、１個または複数個の発光ダイオード（以下、ＬＥＤ：Light Emitting Diode）２４が配置されている。各照明部２３（ｍ）は独立して制御可能であるので、各セグメント領域２２（ｍ）の輝度を個別に制御するローカルディミング制御を行うことができる。
【００４８】  図３に示すように、タブレット端末１０は、前述の液晶表示部１２とスピーカ１３とマイクロホン１４と操作部１５とカメラ部１６との他に、無線通信部２５と、音声入出力部２７と、記憶部２８と、外部入出力部２９と、ＧＰＳ（Global Positioning System）受信部３０と、モーションセンサ部３１と、電源部３２と、ＣＰＵ３３とを備える。
【００４９】  スピーカ１３は音声等を出力する。マイクロホン１４は音声等の入力に用いられる。操作部１５は、例えば押しボタン式のスイッチや十字キーなどを用いたハードウェアキーであり、ユーザからの指示を受け付ける。この操作部１５は、例えば筐体１１の表示部の下部や筐体１１の側面に搭載される。
【００５０】  カメラ部１６は、ＣＭＯＳ（Complementary Metal Oxide Semiconductor）型の撮像素子やＣＣＤ（Charge-Coupled Device）型の撮像素子などの各種撮像素子を用いて電子撮影を行う。この電子撮影により得られた画像データ３５（図４参照）は、各種の圧縮画像データに変換して記憶部２８に記録させたり、外部入出力部２９や無線通信部２５を通じて出力させたりすることができる。カメラ部１６は、筐体１１の背面に搭載されてもよいし、あるいは複数のカメラ部１６が搭載されてもよい。また、カメラ部１６はタブレット端末１０の各種機能に利用することができる。例えば、液晶パネル１８にカメラ部１６で取得した画像を表示することや、操作パネル１９の操作入力の一つとして、カメラ部１６の画像を利用することができる。
【００５１】  無線通信部２５は、ＣＰＵ３３の指示に従って、移動通信網に収容された基地局装置に対し無線通信を行うものである。この無線通信を使用して、画像データ等の各種ファイルデータ、電子メールデータなどの送受信や、Ｗｅｂデータやストリーミングデータなどの受信を行う。
【００５２】  音声入出力部２７は、前述のスピーカ１３及びマイクロホン１４を備えている。音声入出力部２７は、例えばＰ２Ｐ（Peer to Peer）技術を用いたインターネット通話サービスの利用時などにマイクロホン１４を通じて入力されたユーザの音声を音声データに変換してＣＰＵ３３に出力する。この音声データはＣＰＵ３３から無線通信部２５へ出力される。また、音声入出力部２７は、例えばインターネット通話サービスの利用時などに無線通信部２５等で受信された音声データを復号してスピーカ１３から出力させる。また、音声入出力部２７は、ＣＰＵ３３からの指示に従って、各種の音声メッセージや警告音をスピーカ１３から出力させる。なお、スピーカ１３やマイクロホン１４の搭載位置は、図１に示した位置に限定されず、適宜変更可能である。
【００５３】  記憶部２８は、ＣＰＵ３３の制御プログラムや制御データ、アプリケーションソフトウェア、通信相手の名称や電話番号などを対応づけたアドレスデータ、送受信した電子メールのデータ、カメラ部１６または無線通信部２５から出力された画像データ３５などを記憶する。また、記憶部２８は、ストリーミングデータなども一時的に記憶する。この記憶部２８は、タブレット端末内蔵の内部記憶部（閾値記憶部、対応関係記憶部）２８ａと、外部メモリスロット（図示せず）に着脱自在な外部記憶部２８ｂとにより構成される。なお、内部記憶部２８ａ及び外部記憶部２８ｂとしては、フラッシュメモリタイプ（flash memory type）、ハードディスクタイプ（hard disk type）などの公知の各種記憶媒体が用いられる。
【００５４】  内部記憶部２８ａには、例えば、前述の制御プログラムや制御データ、アプリケーションソフトウェア、アドレスデータ、電子メールのデータ等が記憶される。外部記憶部２８ｂには、画像データ３５などが記憶される。
【００５５】  外部入出力部２９は、タブレット端末１０に連結される全ての外部機器とのインターフェースの役割を果たすものであり、他の外部機器に通信等により直接的または間接的に接続するためのものである。
【００５６】  ＧＰＳ受信部３０は、ＧＰＳ衛星ＳＴ１〜ＳＴｎから送信されるＧＰＳ信号を受信し、受信した複数のＧＰＳ信号に基づく測位演算処理を実行し、タブレット端末１０の緯度、経度、高度からなる位置を検出する。この検出結果はＣＰＵ３３に出力される。
【００５７】  モーションセンサ部３１は、例えば３軸の加速度センサなどを備えており、タブレット端末１０の物理的な動きを検出する。これにより、タブレット端末１０の動く方向や加速度が検出される。この検出結果はＣＰＵ３３に出力される。
【００５８】  電源部３２は、タブレット端末１０の各部にバッテリ（図示しない）に蓄えられた電力を供給する。また、電源部３２に外部電源が接続された場合に、電源部３２は外部電源から供給された電力をタブレット端末１０の各部に供給する。
【００５９】  ＣＰＵ３３は、記憶部２８から読み出した制御プログラムや制御データに従って動作し、タブレット端末１０の各部を統括して制御する。また、ＣＰＵ３３は、液晶パネル１８に対する表示制御、操作部１５や操作パネル１９を通じたユーザ操作を検出する操作検出制御などを実行する。
【００６０】  表示制御の実行により、ＣＰＵ３３は、アプリケーションソフトウェアを起動するためのアイコンや、スクロールバーなどのソフトウェアキーを液晶表示部１２に表示させたり、あるいは電子メールを作成するためのウィンドウを液晶表示部１２に表示させたりする。なお、スクロールバーとは、液晶パネル１８の表示領域に収まりきれない大きな画像などについて、画像の表示部分を移動する指示を受け付けるためのソフトウェアキーのことをいう。
【００６１】  また、操作検出制御の実行により、ＣＰＵ３３は、操作部１５を通じたユーザ操作を検出したり、操作パネル１９を通じて上記アイコンに対する操作や上記ウィンドウの入力欄に対する文字列の入力を受け付けたり、あるいはスクロールバーを通じた表示画像のスクロール要求を受け付ける。
【００６２】  さらに、操作検出制御の実行によりＣＰＵ３３は、操作パネル１９に対する操作位置が、液晶パネル１８に重なる重畳部分（表示領域）か、それ以外の外縁部分（非表示領域）かを判定して、操作パネル１９の感応領域やソフトウェアキーの表示位置を制御するタッチパネル制御機能を備える。
【００６３】  また、ＣＰＵ３３は、操作パネル１９に対するジェスチャ操作を検出し、検出したジェスチャ操作に応じて、予め設定された機能を実行することができる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【００６４】  ＜画像の表示制御処理に係る構成＞  図４に示すように、ＣＰＵ３３は、表示制御を実行する際に、内部記憶部２８ａから表示制御用の制御プログラムやアプリケーションソフトウェアを読み出して実行することにより、画像データ取得部３８、伸長部３９、再生階調変換部４０、代表値抽出部４１、バックライト輝度設定部４２、階調補正部４４、液晶パネル制御部４５、及びバックライト制御部４６として機能する。
【００６５】  画像データ取得部３８は、前述のカメラ部１６や無線通信部２５と共に本発明の画像データ取得部として機能する。画像データ取得部３８は、外部記憶部２８ｂから画像データ３５を読み出して伸長部３９へ出力する。例えば静止画像の表示時において、画像データ取得部３８は、操作部１５や操作パネル１９にて選択された画像データ３５を外部記憶部２８ｂから取得（読出）して伸長部３９へ出力する。また、静止画像のスライドショー表示時において、画像データ取得部３８は、外部記憶部２８ｂから画像データ３５を所定の順番で順次読み出して伸長部３９へ出力する。
【００６６】  伸長部３９は、画像データ取得部３８から入力される圧縮処理済みの画像データ３５に対して伸長処理を施した後、この画像データ３５を再生階調変換部４０へ出力する。なお、画像データ３５が非圧縮データである場合に、伸長部３９は、非圧縮の画像データ３５をそのまま再生階調変換部４０へ出力する。
【００６７】  再生階調変換部４０は、伸長部３９から入力される画像データ３５に対して再生階調変換処理（輝度リニア変換ともいう）を施す。例えばカメラ部１６や他のデジタルカメラなどの撮影により得られた画像データ３５にはガンマ補正と呼ばれる階調変換処理（通常、０．４５乗）がなされている。このため、再生階調変換処理では０．４５乗の逆数である２．２乗変換を画像データ３５に対して施す。そして、再生階調変換部４０は、再生変換処理済みの画像データ３５をセグメント領域２２（ｍ）ごとに分割（例えば６４分割）して、各セグメント領域２２（ｍ）に対応した画像データＤ（ｍ）を順番に階調補正部４４へ出力する。
【００６８】  代表値抽出部４１は、再生階調変換部４０から階調補正部４４へ順番に出力されるセグメント領域２２（ｍ）ごとの画像データＤ（ｍ）からそれぞれ代表値（輝度情報）Ｉｐ（ｍ）を抽出する。代表値Ｉｐ（ｍ）とは、セグメント領域２２（ｍ）内の各画素（ｉ）の画素値のピーク値である。「ｉ」はセグメント領域２２（ｍ）内の画素の番号であり、セグメント領域２２（ｍ）が１６画素×１６画素で構成されている場合には、ｉ＝１〜２５６（または０〜２５５）である。また、ここでいう画素値とは画素（液晶素子１８ａ）の透過率を規定する値である。例えば８ビット表示可能な液晶パネル１８では画素値が２５５の場合に画素の透過率が最大となり、逆に画素値が０の場合に画素は遮光状態となる。セグメント領域２２（ｍ）ごとの代表値Ｉｐ（ｍ）は、それぞれバックライト輝度設定部４２へ出力される。
【００６９】  バックライト輝度設定部４２は、輝度設定値算出部４９と、積算値算出部５０と、輝度制御部５１とを備えている。輝度設定値算出部４９は、後述のように、代表値抽出部４１から入力されるセグメント領域２２（ｍ）ごとの代表値Ｉｐ（ｍ）に基づき、セグメント領域２２（ｍ）ごと（すなわち、照明部２３（ｍ）ごと）のバックライト輝度の輝度設定値Ｌ（ｍ）を求める。
【００７０】  積算値算出部５０は、セグメント領域２２（ｍ）ごとの輝度設定値Ｌ（ｍ）を積算して、本発明の第１の積算値に相当する積算値ＬＳ（図９参照）を算出する。この積算値ＬＳは、各画像データＤ（ｍ）の画素値の代表値Ｉｐ（ｍ）に基づき定めた輝度設定値Ｌ（ｍ）を積算したものであるので、本発明の画像データの映像信号レベルの統計量に相当する。
【００７１】  輝度制御部５１は、積算値ＬＳが予め定められた範囲内の値であるか否かを判定し、否と判定した場合には各輝度設定値Ｌ（ｍ）を補正する。補正済みの各輝度設定値Ｌ（ｍ）［ここでは補正の必要のない各輝度設定値Ｌ（ｍ）を含む］は、バックライト制御部４６へ出力される。
【００７２】  階調補正部４４は、再生階調変換部４０から入力される各画像データＤ（ｍ）に対して後述の階調補正処理を施し、階調補正処理済みの各画像データＤ（ｍ）を液晶パネル制御部４５へ出力する。
【００７３】  液晶パネル制御部４５は、階調補正部４４から入力された各画像データＤ（ｍ）に基づき、各セグメント領域２２（ｍ）の各画素（ｉ）の光透過率を制御する。また、バックライト制御部４６は、バックライト輝度設定部４２から入力された各輝度設定値Ｌ（ｍ）に基づき、各照明部２３（ｍ）のバックライト輝度をそれぞれ制御する。
【００７４】  ＜輝度設定値算出処理・階調補正処理＞  次に、輝度設定値Ｌ（ｍ）の算出処理、及び階調補正処理について具体的に説明する。セグメント領域２２（ｍ）の各画素の表示輝度は、各画素の画素値０〜２２５（すなわち、液晶素子１８ａの光透過率）と、照明部２３（ｍ）のバックライト輝度との積で決まる。従って、液晶表示部１２における消費電力を削減しつつ表示画像のコントラスト比を高めるため、本実施形態では、画素値にゲインアップ（光透過率の増加）の余裕がある場合に、バックライト輝度を低下させるとともに画素値をゲインアップする階調補正を行う。
【００７５】  図５に示すように、輝度設定値算出部４９は、代表値抽出部４１から入力されるセグメント領域２２（ｍ）ごとの代表値Ｉｐ（ｍ）に基づき、セグメント領域２２（ｍ）ごとのゲインアップの余裕分（アッパーマージン）を示すＵＭ（ｍ）を求める。例えば、セグメント領域２２（ｍ）内の各画素（ｉ）の画素値Ｉの代表値Ｉｐ（ｍ）が最大画素値ＩＭＡＸ（２５５）の約１／２である「１２３」である場合に、ＩＭＡＸとＩｐ（ｍ）との間には比率にして２．０の余裕がある。この比率がＵＭ（ｍ）であり、ＵＭ（ｍ）＝ＩＭＡＸ／Ｉｐ（ｍ）の式により求められる。
【００７６】  図６に示すように、例えばＵＭ（ｍ）が２．０である場合に、バックライト輝度［輝度設定値Ｌ（ｍ）］をＵＭ（ｍ）の逆数倍（１／ＵＭ（ｍ）＝１／２倍）だけ暗くしても、各画素（ｉ）の画素値ＩをＵＭ（ｍ）分だけゲインアップすることで、表示輝度は図５に示した場合と変わらない。さらに、図５に示した場合と比較して輝度設定値Ｌ（ｍ）、すなわち、バックライト輝度を減光制御した分だけ消費電力を削減することができる。また、表示画像が暗くなるセグメント領域２２（ｍ）ほどバックライト輝度が減光されるので、黒表示が締まり、表示画像のコントラスト比が高まる。
【００７７】  輝度設定値算出部４９は、セグメント領域２２（ｍ）ごとのＵＭ（ｍ）の算出結果に基づき、各輝度設定値Ｌ（ｍ）を算出する。例えば、非ＢＬＤ方式の通常の液晶表示部のバックライト輝度の設定値をＥ０とした場合に、各輝度設定値Ｌ（ｍ）は下記の式（１）により算出される。
【００７８】  Ｌ（ｍ）＝Ｅ０／ＵＭ（ｍ）  式（１）  階調補正部４４は、輝度設定値算出部４９にて算出された各セグメント領域２２（ｍ）のＵＭ（ｍ）に基づき、再生階調変換部４０から入力される各画像データＤ（ｍ）の各画素（ｉ）に対して、それぞれＵＭ（ｍ）分だけゲインアップする階調補正処理を行う。階調補正部４４は、階調補正処理済みの各画像データＤ（ｍ）を液晶パネル制御部４５へ出力する。
【００７９】  ＜輝度設定値補正処理＞  図４に戻って、輝度制御部５１は、積算値算出部５０が算出した積算値ＬＳが、内部記憶部２８ａに記憶されている閾値（第１の閾値）５３の範囲内であるか否かを判定し、この判定結果に基づき各輝度設定値Ｌ（ｍ）を補正する。ここで閾値５３とは、ユーザが眩しさを感じることなく視聴に適した鮮明な画像を表示できる積算値ＬＳの範囲、すなわち、この範囲の上限値ＵＬと下限値ＬＬとを規定したものである。上限値ＵＬ及び下限値ＬＬは所定の値である。
【００８０】  図７に示すように、上限値ＵＬ及び下限値ＬＬが外部条件（照度、視聴距離、電源など）に応じて設定されてもよい。例えば、室内環境の照度が明るい室内環境の照度に相当する２００（ｌｘ）であり、かつ表示領域からユーザ（視聴者）Ｈまでの視聴距離ＶＬが０．５ｍであり、さらにＡＣ電源５５で動作している場合において、液晶表示部１２の表示領域に全白画像を表示（ＡＰＬ＝１００％）した場合の表示輝度のピークを５００ｃｄ／ｍ２以上から１０００ｃｄ／ｍ２以下とするのがよい。ここで、ＡＰＬ＝１００％の画像で表示輝度のピークを１０００ｃｄ／ｍ２以下とするのは、ＡＰＬ＝１００％となる画像は人が最も眩しさを感じやすく、このピーク輝度を経験的に１０００ｃｄ／ｍ２以下とすることで眩しさを感じず視聴に適した輝度に抑えられるためである。これに対して、ＡＰＬが１００％未満の画像では、本願の輝度制御により、ピーク輝度がＡＰＬ＝１００％の画像のピーク輝度に比べて高く設定される。例えば夜空の画像等のＡＰＬの低い画像を表示する場合には、表示画像内の明部（月や星など）が１０００ｃｄ／ｍ２以上になるが、ユーザが眩しく感じず、鮮明な画像として視聴されることが経験的に知られている。また、表示輝度のピークを５００ｃｄ／ｍ２以上とするのは、ＡＰＬが１００％の画像で表示輝度のピークが５００ｃｄ／ｍ２未満であると、コントラスト比が低下して画質が低下することが経験的に知られている。例えば夜空の画像等のＡＰＬの低い画像を表示する場合には、表示画像内の明部（月や星など）は、本願の輝度制御によりピーク輝度がＡＰＬ＝１００％の画像のピーク輝度に比べて高く設定されるため、コントラト比が低下することなく、視聴に適した鮮明な画像が得られる。
【００８１】  このとき、表示画像の平均輝度レベルがＡＰＬ＝１００％、すなわち全画面が白である場合の表示輝度をＢｗとし、この場合の積算値ＬＳをＬＳｍａｘとし、液晶パネル１８の全白表示時の透過率をＴｍａｘとし、バックライト部２０の構造やＬＥＤ２４の発光効率により決まるバックライト発光効率係数をＲｂとしたときに、これらの関係は下記の（式２）のようになる。
【００８２】  Ｂｗ＝ＬＳｍａｘ×Ｒｂ×Ｔｍａｘ  （式２）  例えば、Ｒｂ＝０．３、Ｔｍａｘ＝５%となる液晶表示部１２において、ＡＰＬ＝１００％時の表示輝度のピークを５００ｃｄ／ｍ２以上とするには、積算値ＬＳ≒３３０００ｃｄ／ｍ２以上となる。また、ＡＰＬ＝１００％時の表示輝度のピークを１０００ｃｄ／ｍ２以下とするには積算値ＬＳ≒６７０００ｃｄ／ｍ２以下となる。従って、本実施形態では、全白表示（ＡＰＬ１００％）時の表示輝度のピークを５００ｃｄ／ｍ２以上１０００ｃｄ／ｍ２以下とするため、積算値ＬＳの閾値５３を３３０００ｃｄ／ｍ２（下限値ＬＬ）から６７０００ｃｄ／ｍ２（上限値ＵＬ）の範囲に設定する。
【００８３】  このように、全白表示（ＡＰＬ＝１００％）における表示輝度に基づいて積算値ＬＳの制御範囲を設定しておくことにより、低いＡＰＬの画像においても同じ制御で眩しさを感じることなく、鮮明な画像となる。これは、本願のバックライト制御方式が人の視覚特性に合致しているからである。人が眩しさを感じ始める表示輝度の下限値は、画像のＡＰＬに対して指数関数で表される特性をもち、指数はＡＰＬの−０．２乗に比例するといわれている（以下、特性Ａ）。一方、積算値ＬＳとＡＰＬの関係は、指数関数で表される特性をもち、指数はＡＰＬのほぼ０．２乗に比例している（以下、特性Ｂ）。このため、積算値ＬＳを一定の範囲内の値に制御することは、低いＡＰＬの画像を表示する際の最高輝度値を、特性Ｂの逆の特性、すなわちＡＰＬの−０．２乗に比例して変更することに相当する。この結果、表示輝度とＡＰＬの関係は、特性Ａに類似の特性となり、眩しさを感じることなく、鮮明な画像が表示される。
【００８４】  図４に戻って、輝度制御部５１は、積算値ＬＳが上限値ＵＬよりも大きくなる場合（ＬＳ＞ＵＬ）には、補正前の各輝度設定値Ｌ（ｍ）に対して係数ＫＵ（ＫＵ＜１）を乗算する乗算処理（以下、ＫＵ乗算処理という）と、乗算処理後に係数ＫＵから固定値Ｕ１（Ｕ１＜ＫＵ）を減算する減算処理と、を実行する。また、輝度制御部５１は、ＫＵ乗算処理がなされるごとに、ＫＵ乗算処理後の各輝度設定値Ｌ（ｍ）の新たな積算値ＬＳを求め、この積算値ＬＳが上限値ＵＬよりも大きくなる場合には次のＫＵ乗算処理を実行する。これにより、積算値ＬＳが上限値ＵＬ以下（ＬＳ≦ＵＬ）になるまで、ＫＵ乗算処理と減算処理とが繰り返し実行される。
【００８５】  一方、輝度制御部５１は、積算値ＬＳが下限値ＬＬよりも小さくなる場合（ＬＳ＜ＬＬ）には、補正前の各輝度設定値Ｌ（ｍ）に対して係数ＫＬ（ＫＬ＞１）を乗算する乗算処理（以下、ＫＬ乗算処理という）と、ＫＬ乗算処理後に係数ＫＬに固定値Ｕ２（Ｕ２＜Ｕ１）を加算する加算処理と、を実行する。また、輝度制御部５１は、ＫＬ乗算処理がなされるごとに、ＫＬ乗算処理後の各輝度設定値Ｌ（ｍ）の新たな積算値ＬＳを求め、この積算値ＬＳが下限値ＬＬよりも小さくなる場合には次のＫＬ乗算処理を実行する。これにより、積算値ＬＳが下限値ＬＬ以上（ＬＳ≧ＬＬ）になるまで、ＫＬ乗算処理と減算処理とが繰り返し実行される。
【００８６】  なお、本実施形態において、輝度制御部５１は、積算値ＬＳが上限値ＵＬよりも大きくなるか否かの判定及び補正（ＫＵ乗算処理、減算処理）後に、積算値ＬＳが下限値ＬＬよりも小さくなるか否かの判定及び補正（ＫＬ乗算処理、加算処理）を行う。このため、固定値Ｕ２が大きい値に設定されていると、補正（ＫＬ乗算処理、加算処理）後に積算値ＬＳが上限値ＵＬよりも大きくなるおそれがある。このため、固定値Ｕ２を固定値Ｕ１よりも小さい値に設定している。
【００８７】  ＜第１実施形態の作用（静止画像の表示制御処理）＞  次に、図８に示すフローチャートを用いて、上記構成のタブレット端末１０の作用、特に液晶表示部１２における静止画像の表示制御処理について説明を行う。なお、外部記憶部２８ｂには、カメラ部１６による撮影で得られた画像データ３５、あるいはインターネット等を介して無線通信部２５にて取得された画像データ３５が予め記憶されている。
【００８８】  操作部１５または操作パネル１９にて画像表示の開始操作がなされると、ＣＰＵ３３は、内部記憶部２８ａから表示制御用の制御プログラムやアプリケーションソフトウェアを読み出して実行する。これにより、ＣＰＵ３３が画像データ取得部３８、伸長部３９、再生階調変換部４０、代表値抽出部４１、バックライト輝度設定部４２、階調補正部４４、液晶パネル制御部４５、及びバックライト制御部４６として機能する。
【００８９】  操作部１５または操作パネル１９にて外部記憶部２８ｂに記憶される画像データ３５の一覧表示操作がなされると、液晶表示部１２に画像データ３５の一覧（ファイル名やサムネイル画像等）が表示される。次いで、操作部１５または操作パネル１９にて画像データ３５の選択操作がなされると、画像データ取得部３８は選択操作に対応した画像データ３５を外部記憶部２８ｂから取得して伸長部３９へ出力する（ステップＳ１）。この画像データ３５は、伸長部３９にて伸長処理が施された後、再生階調変換部４０に入力される。
【００９０】  再生階調変換部４０は、伸長部３９から入力された画像データ３５に対して再生階調変換処理を施す（ステップＳ２）。そして、再生階調変換部４０は、再生変換処理済みの画像データ３５をセグメント領域２２（ｍ）ごとに分割して、各セグメント領域２２（ｍ）に対応した画像データＤ（ｍ）を階調補正部４４へ出力する。
【００９１】  この際に、代表値抽出部４１は、前述の図５及び図６に示したように、再生階調変換部４０から出力されるセグメント領域２２（０）の画像データ３５（０）から代表値Ｉｐ（０）を抽出する（ステップＳ３，Ｓ４）。次いで、輝度設定値算出部４９は、代表値抽出部４１が抽出した代表値Ｉｐ（０）に基づき、セグメント領域２２（０）に対応したＵＭ（０）を求める。そして、輝度設定値算出部４９は、ＵＭ（０）の算出結果と上記式（１）とに基づいて、セグメント領域２２（０）の輝度設定値Ｌ（０）を算出する（ステップＳ５）。また、積算値算出部５０は、輝度設定値Ｌ（０）の算出結果を積算する（ステップＳ６）。
【００９２】  一方、階調補正部４４は、輝度設定値算出部４９が算出したセグメント領域２２（０）のＵＭ（０）に基づき、再生階調変換部４０から入力される画像データＤ（０）の各画素（ｉ）に対して階調補正処理を行う（ステップＳ７）。階調補正処理済みの各画像データＤ（ｍ）は液晶パネル制御部４５へ出力される。
【００９３】  以下同様にして、再生階調変換部４０から画像データ３５（１）〜画像データ３５（６３：ｍｍａｘ）が出力されるごとに、前述のステップＳ４〜Ｓ７の処理が繰り返し実行される（ステップＳ８でＮＯ、ステップＳ９）。これにより、各セグメント領域２２（ｍ）に対応したＵＭ（ｍ）及び輝度設定値Ｌ（ｍ）が算出されるとともに、各輝度設定値Ｌ（ｍ）が順次積算される。
【００９４】  全てのセグメント領域２２（ｍ）についてのＵＭ（ｍ）及び輝度設定値Ｌ（ｍ）の算出と、輝度設定値Ｌ（ｍ）の積算とが完了すると（ステップＳ８でＹＥＳ）、積算値算出部５０にて積算値ＬＳが算出される（ステップＳ１０）。この積算値ＬＳの算出結果は輝度制御部５１へ出力される。
【００９５】  ＜輝度設定値補正処理＞  積算値算出部５０にて積算値ＬＳが算出された後、輝度制御部５１による各輝度設定値Ｌ（ｍ）の補正処理が開始される（ステップＳ１１）。
【００９６】  図９に示すように、補正処理開始時には係数ＫＵ及び係数ＫＬがそれぞれ「１」に設定されている（ステップＳ１３）。輝度制御部５１は、積算値ＬＳが上限値ＵＬ以下（ＬＳ≦ＵＬ）であるか否かを判定する（ステップＳ１４）。輝度制御部５１は、積算値ＬＳが上限値ＵＬよりも大きくなる場合（ステップＳ１４でＮＯ）には、各輝度設定値Ｌ（ｍ）に対して係数ＫＵ［ＫＵ＝（１−Ｕ１）、すなわちＫＵ＜１］を乗算するＫＵ乗算処理を行う（ステップＳ１５，Ｓ１６）。
【００９７】  次いで、輝度制御部５１は、ＫＵ乗算処理後の各輝度設定値Ｌ（ｍ）の新たな積算値ＬＳを求める（ステップＳ１７）。輝度制御部５１は、新たな積算値ＬＳが依然として上限値ＵＬよりも大きくなる場合（ステップＳ１４でＮＯ）には、先の係数ＫＵから固定値Ｕ１を減算する減算処理（ＫＵ＝ＫＵ−Ｕ１）を行う（ステップＳ１５）。この減算処理後、輝度制御部５１は、先にＫＵ乗算処理された各輝度設定値Ｌ（ｍ）に対して新たな係数ＫＵを乗算するＫＵ乗算処理を行う（ステップＳ１６）。
【００９８】  以下同様にして、積算値ＬＳが上限値ＵＬ以下（ＬＳ≦ＵＬ）となるまで（ステップＳ１４でＹＥＳ）、ステップＳ１５からステップＳ１７までの各処理（減算処理、ＫＵ乗算処理、積算値算出処理）が繰り返し実行される。
【００９９】  ステップＳ１４でＹＥＳと判定された場合に、輝度制御部５１は、積算値ＬＳが下限値ＬＬ以上（ＬＳ≧ＬＬ）であるか否かを判定する（ステップＳ１８）。輝度制御部５１は、積算値ＬＳが下限値ＬＬよりも小さくなる場合（ステップＳ１８でＮＯ）には、各輝度設定値Ｌ（ｍ）に対して係数ＫＬ［ＫＬ＝（１＋Ｕ２）、すなわちＫＬ＞１］を乗算するＫＬ乗算処理を行う（ステップＳ１９，Ｓ２０）。
【０１００】  次いで、輝度制御部５１は、ＫＬ乗算処理後の各輝度設定値Ｌ（ｍ）の新たな積算値ＬＳを求める（ステップＳ２１）。輝度制御部５１は、新たな積算値ＬＳが依然として下限値ＬＬよりも小さくなる場合（ステップＳ１８でＮＯ）には、先の係数ＫＬに固定値Ｕ２を加算する加算処理（ＫＬ＝ＫＬ＋Ｕ２）を行う（ステップＳ１９）。この加算処理後、輝度制御部５１は、先にＫＬ乗算処理された各輝度設定値Ｌ（ｍ）に対して新たな係数ＫＬを乗算するＫＬ乗算処理を行う（ステップＳ２０）。
【０１０１】  以下同様にして、積算値ＬＳが下限値ＬＬ以上（ＬＳ≧ＬＬ）となるまで（ステップＳ１８でＹＥＳ）、ステップＳ１９からステップＳ２１までの各処理（加算処理、ＫＬ乗算処理、積算値算出処理）が繰り返し実行される。この際に、固定値Ｕ２は固定値Ｕ１よりも小さく設定されているので、ＫＬ乗算処理後の積算値ＬＳが上限値ＵＬよりも大きくなることはない。
【０１０２】  このように本実施形態では、本発明の第１の積算値（映像信号レベルの統計量）に相当する積算値ＬＳと、上限値ＵＬ及び下限値ＬＬとを比較した結果に基づき定めた係数ＫＵを各輝度設定値Ｌ（ｍ）に乗算することで、積算値ＬＳを閾値５３の範囲内に補正している。
【０１０３】  ステップＳ１８でＹＥＳと判定されると、各輝度設定値Ｌ（ｍ）の補正処理が終了する。輝度制御部５１は、補正済みの各輝度設定値Ｌ（ｍ）をバックライト制御部４６へ出力する。
【０１０４】  図８に戻って、液晶パネル制御部４５は階調補正済みの画像データＤ（ｍ）に基づき、液晶パネル１８の各画素の透過率を制御する。また、バックライト制御部４６は、補正済みの輝度設定値Ｌ（ｍ）に基づき、バックライト部２０の各照明部２３（ｍ）のバックライト輝度を制御する。これにより、液晶パネル１８の表示領域に画像データ３５に基づく画像が表示される（ステップＳ２２）。
【０１０５】  操作部１５または操作パネル１９にて新たな画像データ３５の選択操作（例えば表示切替操作）がなされると（ステップＳ２３でＹＥＳ）、前述の各ステップＳ１〜Ｓ２２の処理が繰り返し実行されることにより、新たな画像データ３５に基づく画像が表示される。また、操作部１５等にてスライドショー表示の操作がなされた場合には、前述の各ステップＳ１〜Ｓ２２の処理が一定時間間隔で繰り返し実行される。
【０１０６】  ＜第１実施形態の作用効果＞  以上のように本発明では、各セグメント領域２２（ｍ）の輝度設定値Ｌ（ｍ）の積算値ＬＳを求め、この積算値ＬＳが予め定めた閾値５３の範囲内に収まるように各輝度設定値Ｌ（ｍ）を補正するので、コントラスト比を弱めることなく鮮明な表示画像が得られる。
【０１０７】  例えば、一般にＡＰＬが高い画像では、ユーザＨが眩しさを感じる表示輝度のピークの上限が１０００ｃｄ／ｍ２以下（ＡＰＬ＝１００％の場合）である。しかし、前述の通り、ＡＰＬの低い画像（例えば、夜空の一部に月または星が表示されているような画像）を表示する場合には、表示画像内の明部（月や星など）の表示輝度が１０００ｃｄ／ｍ２以上であっても、ユーザＨは眩しく感じない。このため、図１０の（Ａ）部分に示す本実施形態のように積算値ＬＳを閾値５３の範囲内に制御した場合には、ユーザＨが眩しさを感じない程度に表示画像の輝度が低下し、かつ明部の表示輝度(バックライト輝度)は高い状態で維持される。また、表示画像の暗部については、バックライト輝度が低下することで黒浮きが防止される。その結果、表示画像は高コントラスト比となるので画質が向上する。なお、図中の「点線」は補正前の状態を示し、「実線」は補正後の状態を示す。
【０１０８】  一方、比較例を示す図１０の（Ｂ）部分において、前述の特許文献２のように、各セグメント領域２２（ｍ）の表示輝度（バックライト輝度）の上限値及び下限値を設定すると、特にＡＰＬの低い画像を表示する際に、明部のバックライト輝度が上限値以下に抑えられてしまう。その結果、表示画像のコントラスト比が低下するので、表示画像の画質が低下してしまう。
【０１０９】  このような比較例に対して、本発明では、積算値ＬＳを閾値５３の範囲内に制御することで、視聴者が眩しく感じることがない視聴に適した鮮明な画像を表示することができる。また、積算値ＬＳに下限値ＬＬを設定しているので、コントラスト比が低下して画質が低下することが防止される。さらに、本発明の制御方式は簡易であり、複雑な演算が不要であるので、高速処理並びに低消費電力化が可能となる。
【０１１０】  また、図１１に示すように、異なる複数種類（図中の画像Ｎｏが対応）の画像データ３５に基づく画像の表示を順次に行う場合（スライドショー表示など）に、本発明では積算値ＬＳが表示画像の種類によらず一定に抑えられるので積算値ＬＳの変動が少なくなる。ここで、ＡＰＬが高い画像ほど積算値ＬＳ（補正前）が高くなり、例えば画像Ｎｏ４は眩しく感じられるため、各輝度設定値Ｌ（ｍ）に一律の係数（ＵＬ，ＬＬ）を掛け合わせて快適な輝度に再設定すると、積算値ＬＳは図中の「補正後」に示す値となる。また、同様の再設定により、他の画像の積算値ＬＳについても一定の範囲内に収まる。その結果、表示画像ごとのバックライト部２０の消費電力のばらつきが抑えられるので、表示画像の種類に応じて消費電力が極端に異なることが防止される。これにより、消費電力の増加に対応するために電源を大型化させる必要がなくなるので、製造コストの上昇が抑えられるとともに低消費電力化が図れる。
【０１１１】  ［第２実施形態］  ＜第２実施形態のタブレット端末の構成＞  次に、図１２を用いて本発明の第２実施形態のタブレット端末６０について説明を行う。上記第１実施形態では静止画像の表示を行う場合について説明したが、タブレット端末６０は動画像の表示機能を有している。なお、タブレット端末６０は、カメラ部１６や無線通信部２５にて予め取得された動画像データ６３が外部記憶部２８ｂに記憶されている点を除けば、第１実施形態と基本的に同じ構成である。このため、上記第１実施形態と機能・構成上同一のものについては、同一符号を付してその説明は適宜省略する。
【０１１２】  画像データ取得部３８は、操作部１５や操作パネル１９にて選択された動画像データ６３の各フレーム画像データ６３ａを外部記憶部２８ｂから順次取得（読出）して伸長部３９へ出力する。伸長部３９は、動画像データ６３の各フレーム画像データ６３ａに対して伸長処理を施し、伸長処理済みの各フレーム画像データ６３ａを順番に再生階調変換部４０へ出力する。ここでいう「フレーム画像」とは動画の１コマの画像である。
【０１１３】  再生階調変換部４０は、伸長部３９から入力されるフレーム画像データ６３ａに対し再生階調変換処理を施す。そして、再生階調変換部４０は、再生変換処理済みのフレーム画像データ６３ａをセグメント領域２２（ｍ）ごとに分割して、各セグメント領域２２（ｍ）に対応した画像データＤ（ｍ）を階調補正部４４へ順次に出力する。
【０１１４】  代表値抽出部４１は、フレーム画像データ６３ａを分割してなる画像データＤ（ｍ）から代表値Ｉｐ（ｍ）に抽出する点を除けば、第１実施形態と基本的に同じである。
【０１１５】  バックライト輝度設定部４２は、第１実施形態と同様に、セグメント領域２２（ｍ）ごとの輝度設定値Ｌ（ｍ）と、各輝度設定値Ｌ（ｍ）の積算値ＬＳとを求めた後、この積算値ＬＳに基づいて各輝度設定値Ｌ（ｍ）を補正する。補正済みの各輝度設定値Ｌ（ｍ）は、バックライト制御部４６へ出力される。
【０１１６】  階調補正部４４は、第１実施形態と同様に、再生階調変換部４０から入力される各画像データＤ（ｍ）に対して階調補正処理を施し、階調補正処理済みの各画像データＤ（ｍ）を液晶パネル制御部４５へ出力する。
【０１１７】  ＜第２実施形態の作用（動画像の表示制御処理）＞  図１３に示すフローチャートを用いて、上記構成のタブレット端末６０の作用、特に動画像の表示制御処理について説明を行う。操作部１５または操作パネル１９にて動画像表示の開始操作がなされた後、動画像データ６３の一覧表示操作がなされると、外部記憶部２８ｂに記憶されている動画像データ６３の一覧が液晶表示部１２の表示領域に表示される。
【０１１８】  次いで、操作部１５または操作パネル１９にて動画像データ６３の選択操作がなされると、画像データ取得部３８は選択操作に対応した動画像データ６３を外部記憶部２８ｂから取得して伸長部３９へ出力する（ステップＳ１−１）。この動画像データ６３を構成する各フレーム画像データ６３ａは伸長部３９にて伸長処理された後、再生階調変換部４０にて再生変換処理される。そして、第１フレーム画像データ６３ａの表示制御処理（階調補正、バックライト輝度の設定）が開始される（ステップＳ２−１，Ｓ２−２）。
【０１１９】  最初に、再生階調変換部４０から階調補正部４４に向けて、第１フレーム画像データ６３ａの各セグメント領域２２（ｍ）の画像データＤ（ｍ）が出力される。そして、第１実施形態と同様にして、代表値Ｉｐ（ｍ）の抽出、輝度設定値Ｌ（ｍ）の算出、積算値ＬＳの算出、画像データＤ（ｍ）の階調補正、輝度設定値Ｌ（ｍ）の補正が実行される（ステップＳ３からステップＳ２１）。これにより、第１フレーム画像データ６３ａに基づく第１フレーム画像が液晶パネル１８の表示領域に表示される（ステップＳ２９）。
【０１２０】  以下同様にして、第２フレーム画像以降の各フレーム画像についても同様に液晶パネル１８の表示領域に連続して表示される（ステップＳ３０でＮＯ、ステップＳ３１）。
【０１２１】  この際に図１４に示すように、ＣＰＵ３３に入力される各フレーム画像データ６３ａ（図中の「入力画像」）の間の垂直ブランキング期間内に、前のフレーム画像データ６３ａについての各輝度設定値Ｌ（ｍ）の算出ＳＡ、階調補正ＳＢ、各輝度設定値Ｌ（ｍ）の補正ＳＣが実行される。例えば、ＣＰＵ３３に入力される第ｎ（ｎは任意の自然数）フレーム画像データ６３ａと第ｎ＋１フレーム画像データ６３ａとの間の垂直ブランキング期間内に、第ｎフレーム画像データ６３ａについての各処理ＳＡ〜ＳＣが実行される。そして、補正ＳＣ後に、第ｎフレーム画像データ６３ａに基づく第ｎフレーム画像の表示が行われる（図中の「表示画像」）。
【０１２２】  図１３に戻って、全てのフレーム画像が表示された後（ステップＳ３０でＹＥＳ、ステップＳ３１）、操作部１５または操作パネル１９にて新たな動画像データ６３の選択操作がなされると（ステップＳ３２でＹＥＳ）、前述の各ステップの処理が繰り返し実行される。これにより、新たな動画像データ６３に基づく動画像が表示される。
【０１２３】  ＜第２実施形態の作用効果＞  第２実施形態のタブレット端末６０では、動画像データ６３のフレーム画像データ６３ａごとに第１実施形態と同様の各処理が実行されるので、第１実施形態で説明した効果と同様の効果が得られる。
【０１２４】  さらに、図１５に示すように、各フレーム画像データ６３ａの積算値ＬＳが一定範囲内に抑えられる。従来は、フレーム画像データ６３ａごとのＡＰＬに従ってシーンチェンジを予測して、シーンチェンジの前後のフレーム画像データ６３ａのコントラスト比や明るさを変更する必要があったが、このような処理が第２実施形態では不要となる。その結果、高速処理が可能となる。
【０１２５】  ［第３実施形態］  ＜第３実施形態のタブレット端末の構成＞  次に、図１６を用いて本発明の第３実施形態のタブレット端末６６について説明する。上記第２実施形態では、動画表示時においてフレーム画像データ６３ａごとに各輝度設定値Ｌ（ｍ）の補正を行うため、フレーム画像間でのバックライト輝度の変動が大きくなることで、動画像にちらつきが生じるおそれがある。また、フレーム画像単位で各輝度設定値Ｌ（ｍ）の補正を行うとＣＰＵ３３の演算負荷が大きくなる。このため、タブレット端末６６では、動画像データ６３の各フレーム画像データ６３ａを複数に分割したフレーム群ＦＧ（図１９参照）ごとに各輝度設定値Ｌ（ｍ）の補正を行う。
【０１２６】  タブレット端末６６は、バックライト輝度設定部４２に上記第２実施形態とは異なる積算値算出部６８と輝度制御部６９とが設けられている点を除けば、上記第２実施形態と基本的に同じ構成である。このため、上記第２実施形態と機能・構成上同一のものについては、同一符号を付してその説明は適宜省略する。
【０１２７】  積算値算出部６８は、静止画像表示時には前述の輝度設定値算出部４９と同様の処理を行う。一方、積算値算出部６８は、動画像表示時には輝度設定値算出部４９により算出される各セグメント領域２２（ｍ）の輝度設定値Ｌ（ｍ）をフレーム群ＦＧ単位で積算して積算値ＬＳａを算出する。この積算値ＬＳａは、本発明の第２の積算値（画像データの映像信号レベルの統計量）に相当する。
【０１２８】  輝度制御部６９は、静止画像表示時には前述の輝度制御部５１と同様の処理を行う。一方、輝度制御部６９は、動画像表示時には積算値ＬＳａの範囲を定めるためのフレーム群用閾値（第２の閾値）７１を決定する第１の決定処理と、フレーム群ＦＧの各輝度設定値Ｌ（ｍ）を補正する第１の補正処理とを行う。
【０１２９】  フレーム群用閾値７１は、ユーザが眩しさを感じることなく視聴に適した鮮明な画像を表示可能な積算値ＬＳａの範囲、すなわち、この範囲の上限値ＵＬａと下限値ＬＬａとを規定したものである。輝度制御部６９は、第１の決定処理において、前述の閾値５３の上限値ＵＬ及び下限値ＬＬと、フレーム群ＦＧを構成するフレーム画像データ６３ａの数（すなわち、フレーム数）とに基づき上限値ＵＬａと下限値ＬＬａ（図１８参照）とを決定する。例えばフレーム群ＦＧのフレーム数を「ｋ＋１」、上限値ＵＬを５６００ｃｄ／ｍ２、下限値ＬＬを３８００ｃｄ／ｍ２とした場合に、上限値ＵＬａは「５６００×（ｋ＋１）」となり、下限値ＬＬａは「３８００×（ｋ＋１）」となる。
【０１３０】  なお、フレーム群ＦＧのフレーム数は、操作部１５または操作パネル１９にて設定することができる。また、フレーム群ＦＧのフレーム数が固定値である場合には、上限値ＵＬａ及び下限値ＬＬａについても内部記憶部２８ａに予め記憶しておくことで、第１の決定処理は省略してもよい。
【０１３１】  第１の補正処理において輝度制御部６９は、積算値ＬＳａが上限値ＵＬａよりも大きくなる場合（ＬＳａ＞ＵＬａ）には、補正前のフレーム群ＦＧの各輝度設定値Ｌ（ｍ）に対するＫＵ乗算処理と、係数ＫＵに対する減算処理とを実行する。また、輝度制御部６９は、ＫＵ乗算処理がなされるごとに新たな積算値ＬＳａを求め、この積算値ＬＳａが上限値ＵＬａよりも大きくなる場合には次のＫＵ乗算処理を実行する。そして、輝度制御部６９は、積算値ＬＳａが上限値ＵＬａ以下（ＬＳａ≦ＵＬａ）になるまでＫＵ乗算処理と減算処理とを繰り返し実行する。
【０１３２】  一方、輝度制御部６９は、積算値ＬＳａが下限値ＬＬａよりも小さくなる場合（ＬＳａ＜ＬＬａ）には、補正前のフレーム群ＦＧの各輝度設定値Ｌ（ｍ）に対するＫＬ乗算処理と、係数ＫＬに対する加算処理と、を実行する。また、輝度制御部６９は、ＫＬ乗算処理がなされるごとに、ＫＬ乗算処理後の各輝度設定値Ｌ（ｍ）の新たな積算値ＬＳａを求め、この積算値ＬＳａが下限値ＬＬａよりも小さくなる場合には次のＫＬ乗算処理を実行する。輝度制御部６９は、積算値ＬＳａが下限値ＵＬａ以上（ＬＳａ≧ＵＬａ）になるまで、ＫＬ乗算処理と加算処理とを繰り返し実行する。
【０１３３】  ＜第３実施形態の作用（動画像表示処理）＞  図１７に示すフローチャートを用いて、上記構成のタブレット端末６０の作用、特に動画像の表示制御処理について説明を行う。前述の第２実施形態と同様にステップＳ１−１までの処理が完了すると、動画像データ６３を構成する各フレーム画像データ６３ａがそれぞれ伸長部３９にて伸長処理された後、再生階調変換部４０にて再生変換処理される。そして、各フレーム画像データ６３ａの中で第１フレーム群ＦＧに属するフレーム画像データ６３ａについての表示制御処理が開始される（ステップＳ２−３，Ｓ２−４）。
【０１３４】  最初に、第１フレーム群ＦＧに属する第１フレーム画像データ６３ａについて、前述の第１実施形態と同様にセグメント領域２２（ｍ）ごとの輝度設定値Ｌ（ｍ）の算出・積算、並びに画像データＤ（ｍ）の階調補正が行われる（ステップＳ２−５、ステップＳ３〜Ｓ９）。
【０１３５】  以下同様にして、第１フレーム群ＦＧに属する他のフレーム画像データ６３ａについても、セグメント領域２２（ｍ）ごとの輝度設定値Ｌ（ｍ）の算出・積算が行われるとともに、各画像データＤ（ｍ）の階調補正処理が行われる（ステップＳ３９でＮＯ、ステップＳ４０）。階調補正処理済みの各画像データＤ（ｍ）［各フレーム画像データ６３ａ］は、フレームメモリ等に格納される。
【０１３６】  第１フレーム群ＦＧに属する全てのフレーム画像データ６３ａについての輝度設定値Ｌ（ｍ）の算出及び積算が完了すると（ステップＳ３９でＹＥＳ）、積算値算出部６８にてフレーム群ＦＧ単位での輝度設定値Ｌ（ｍ）の積算値ＬＳａが算出される（ステップＳ４０）。
【０１３７】  ＜輝度設定値補正処理＞  積算値算出部６８にて積算値ＬＳａが算出された後、輝度制御部６９による各輝度設定値Ｌ（ｍ）の補正処理が開始される（ステップＳ４１）。
【０１３８】  図１８に示すように、輝度制御部６９は、第１フレーム群ＦＧのフレーム数と、内部記憶部２８ａ内の閾値５３の上限値ＵＬ及び下限値ＬＬとに基づき、フレーム群用閾値７１の上限値ＵＬａと下限値ＬＬａとを決定する（第１の決定処理、ステップＳ４３）。
【０１３９】  第１の決定処理後に、輝度制御部６９は第１の補正処理を開始する。この際に、係数ＫＵ及び係数ＫＬがそれぞれ「１」に設定されている（ステップＳ４４）。輝度制御部６９は、積算値ＬＳａが上限値ＵＬａ以下（ＬＳａ≦ＵＬａ）であるか否かを判定する（ステップＳ４５）。輝度制御部６９は、積算値ＬＳａが上限値ＵＬａよりも大きくなる場合（ステップＳ４５でＮＯ）には、係数ＫＵに対する減算処理と、各輝度設定値Ｌ（ｍ）に対するＫＵ乗算処理とを行う（ステップＳ４６，Ｓ４７）。
【０１４０】  次いで、輝度制御部６９は、ＫＵ乗算処理後の各輝度設定値Ｌ（ｍ）の新たな積算値ＬＳａを求める（ステップＳ４８）。以下、輝度制御部６９は、積算値ＬＳａが上限値ＵＬａ以下（ＬＳａ≦ＵＬａ）となるまで（ステップＳ４５でＹＥＳ）、ステップＳ４６からステップＳ４８までの各処理を繰り返し実行する。
【０１４１】  ステップＳ４５でＹＥＳと判定された場合に、輝度制御部６９は、積算値ＬＳａが下限値ＬＬａ以上（ＬＳａ≧ＬＬａ）であるか否かを判定する（ステップＳ４９）。輝度制御部６９は、積算値ＬＳａが下限値ＬＬａよりも小さくなる場合（ステップＳ４９でＮＯ）には、係数ＫＬに対する加算処理と、各輝度設定値Ｌ（ｍ）に対するＫＬ乗算処理とを行う（ステップＳ５０，Ｓ５１）。
【０１４２】  次いで、輝度制御部６９は、ＫＬ乗算処理後の各輝度設定値Ｌ（ｍ）の新たな積算値ＬＳａを求める（ステップＳ５２）。以下、輝度制御部６９は、積算値ＬＳａが下限値ＬＬａ以上（ＬＳａ≧ＬＬａ）となるまで（ステップＳ４９でＹＥＳ）、ステップＳ５０からステップＳ５２までの各処理を繰り返し実行する。
【０１４３】  ステップＳ４９でＹＥＳと判定されると、第１フレーム群ＦＧにおける各輝度設定値Ｌ（ｍ）の補正処理が終了する。輝度制御部６９は、補正済みの各輝度設定値Ｌ（ｍ）をフレーム番号順にバックライト制御部４６へ出力する。
【０１４４】  図１７に戻って、液晶パネル制御部４５は、階調補正処理済みの各画像データＤ（ｍ）をフレーム番号順にフレームメモリから読み出して、フレームごとの各画像データＤ（ｍ）に基づき液晶パネル１８の各画素の透過率を制御する。また、バックライト制御部４６は、輝度制御部６９からフレーム番号順に入力される各輝度設定値Ｌ（ｍ）に基づき、バックライト部２０のバックライト輝度を制御する。これにより、液晶パネル１８の表示領域に、第１フレーム群ＦＧの各フレーム画像データ６３ａに基づくフレーム画像が順次表示される（ステップＳ５４）。
【０１４５】  以下同様にして、残りのフレーム群ＦＧについても、上述の第１フレーム群ＦＧの表示制御処理と同様の表示制御処理が行われる（ステップＳ５５でＹＥＳ，ステップＳ５６）。これにより、動画像データ６３に基づく動画像が表示される。
【０１４６】  操作部１５または操作パネル１９にて新たな動画像データ６３の選択操作がなされると（ステップＳ５７でＹＥＳ）、前述の各ステップの処理が繰り返し実行される。これにより、新たな動画像データ６３に基づく動画像が表示される。
【０１４７】  図１９に示すように、第３実施形態では、フレーム群ＦＧ内の各フレーム画像データ６３ａ（図中の入力画像）の間の垂直ブランキング期間内に、前のフレーム画像データ６３ａについての各輝度設定値Ｌ（Ｓ）の算出ＳＡ及び階調補正ＳＢが実行される。また、各フレーム群ＦＧの間の垂直ブランキング期間内において、各輝度設定値Ｌ（Ｓ）の算出ＳＡ及び階調補正ＳＢに加えて、前のフレーム群における各輝度設定値Ｌ（ｍ）の補正ＳＣが実行される。そして、この補正ＳＣ後に、前のフレーム群ＦＧの各フレーム画像データ６３ａに基づくフレーム画像が表示される。
【０１４８】  ＜第３実施形態の作用効果＞  第３実施形態のタブレット端末６６では、フレーム群単位で各輝度設定値Ｌ（ｍ）の補正を行うため、フレーム画像単位で各輝度設定値Ｌ（ｍ）の補正を行う第２実施形態と比較して、動画像のちらつきが低減される。また、ＣＰＵ３３の演算負荷を減らすことができる。
【０１４９】  ［第４実施形態］  ＜第４実施形態のタブレット端末の構成＞  次に、図２０を用いて本発明の第４実施形態のタブレット端末７５について説明を行う。上記第３実施形態ではフレーム群ＦＧ内でシーンチェンジ（例えば暗所の画像から明所の画像への切り替わり）が発生した場合に、異なるシーン（絵柄）のフレーム画像データ６３ａから求めた各輝度設定値Ｌ（ｍ）に対して一律の補正が行われる。その結果、輝度設定値Ｌ（ｍ）に対して最適な補正がなされないおそれがある。そこで、タブレット端末７５では、フレーム群ＦＧ内のシーンごと、すなわち、シーン単位で各輝度設定値Ｌ（ｍ）の補正を行う。なお、各シーンには、それぞれ１または複数のフレーム画像データ６３ａが含まれる。
【０１５０】  タブレット端末７５は、ＣＰＵ３３がシーンチェンジ検出部７６として機能するとともに、バックライト輝度設定部４２に積算値算出部６８ａと輝度制御部６９ａが設けられている点を除けば、上記第３実施形態と基本的に同じ構成である。このため、上記第３実施形態と機能・構成上同一のものについては、同一符号を付してその説明は適宜省略する。
【０１５１】  シーンチェンジ検出部７６は、伸長部３９から順次出力されるフレーム画像データ６３ａから画像の特徴量や輝度分布などを抽出して、この抽出結果に基づき連続する２つのフレーム画像データ６３ａ間でシーンチェンジが発生したか否かを検出する。これにより、フレーム群ＦＧ内でのシーンチェンジの発生を検出することができる。なお、シーンチェンジの検出方法及び検出タイミングは、特に限定されるものではなく公知の各種方法・タイミングを採用してもよい。例えば、連続する２つのフレーム画像データ６３ａのＡＰＬを算出してその差分が予め定めた閾値を超えるか否かを判定することにより、シーンチェンジの発生の有無を検出することができる（図３６参照）。シーンチェンジ検出部７６によるシーンチェンジの検出結果は、バックライト輝度設定部４２に入力される。
【０１５２】  積算値算出部６８ａは、前述の第３実施形態の積算値算出部６８と基本的には同じものである。ただし、積算値算出部６８ａは、フレーム群ＦＧ内でのシーンチェンジが検出された場合には、シーン単位でそれぞれ各輝度設定値Ｌ（ｍ）を積算して、本発明の第３の積算値（画像データの映像信号レベルの統計量）に相当する積算値ＬＳｂを算出する。
【０１５３】  例えば、フレーム群ＦＧが第ｎフレーム画像データ６３ａ、第ｎ＋１フレーム画像データ６３ａ、・・・、第ｎ＋ｋフレーム画像データ６３ａで構成されており、第ｎ＋１フレーム画像データ６３ａと第ｎ＋２フレーム画像データ６３ａとの間でシーンチェンジが発生している場合を例に挙げて説明を行う。この場合に、積算値算出部６８ａは、第ｎフレーム画像データ６３ａに対応する各輝度設定値Ｌ（ｍ）から第ｎ＋１フレーム画像データ６３ａに対応する各輝度設定値Ｌ（ｍ）までを積算して、積算値ＬＳｂを算出する。次いで、積算値算出部６８ａは、第ｎ＋２フレーム画像データ６３ａに対応する各輝度設定値Ｌ（ｍ）から第ｎ＋ｋフレーム画像データ６３ａに対応する各輝度設定値Ｌ（ｍ）までを積算して、積算値ＬＳｂを算出する。
【０１５４】  輝度制御部６９ａは、前述の第３実施形態の輝度制御部６９ａと基本的には同じものである。ただし、輝度制御部６９ａは、フレーム群ＦＧ内でシーンチェンジが検出された場合にはシーン単位で各輝度設定値Ｌ（ｍ）を補正する。具体的に、輝度制御部６９ａは、積算値ＬＳｂの範囲を定めるためのシーン用閾値（第３の閾値）７８を決定する第２の決定処理と、シーン単位で各輝度設定値Ｌ（ｍ）を補正する第２の補正処理とを行う。
【０１５５】  シーン用閾値７８は、ユーザが眩しさを感じることなく視聴に適した鮮明な画像が表示可能な積算値ＬＳｂの範囲、すなわち、この範囲の上限値ＵＬｂと下限値ＬＬｂとを規定したものである（図２２参照）。輝度制御部６９ａは、第２の決定処理において、前述の閾値５３の上限値ＵＬ及び下限値ＬＬと、シーンごとのフレーム数とに基づき上限値ＵＬｂと下限値ＬＬｂとを決定する。具体的に、上限値ＵＬｂは「上限値ＵＬ×（シーンのフレーム数）」となり、下限値ＬＬｂは「下限値ＬＬ×（シーンのフレーム数）」となる。
【０１５６】  また、第２の補正処理において輝度制御部６９ａは、積算値ＬＳｂが上限値ＵＬｂよりも大きくなる場合（ＬＳｂ＞ＵＬｂ）に、積算値ＬＳｂが上限値ＵＬｂ以下（ＬＳｂ≦ＵＬｂ）になるまでＫＵ乗算処理と減算処理とを繰り返し実行する。
【０１５７】  一方、輝度制御部６９ａは、積算値ＬＳｂが下限値ＬＬｂよりも小さくなる場合（ＬＳｂ＜ＬＬｂ）に、積算値ＬＳｂが下限値ＬＬｂ以上（ＬＳｂ≧ＬＬｂ）になるまで、ＫＬ乗算処理と加算処理とを繰り返し実行する。
【０１５８】  ＜第４実施形態の作用（動画像の表示制御処理）＞  図２１に示すフローチャートを用いて、第４実施形態のタブレット端末７５の作用、特に動画像の表示処理について説明を行う。なお、フレーム群ＦＧ内でシーンチェンジが検出されない場合の処理の流れは、図１７及び図１８に示した第３実施形態と同じであるので、ここではシーンチェンジが検出される場合のみについて説明を行う。
【０１５９】  動画像データ６３の取得後（ステップＳ１−１）、第３実施形態と同様に、第１フレーム群ＦＧに属するフレーム画像データ６３ａごとの各輝度設定値Ｌ（ｍ）の算出・積算、並びに各画像データＤ（ｍ）の階調補正処理が開始される（ステップＳ２−３〜Ｓ２−５、ステップＳ３〜Ｓ９）。ただし、第４実施形態では、シーンチェンジ検出部７６が各フレーム画像データ６３ａ間でシーンチェンジが発生したか否かを検出し、この検出結果をバックライト輝度設定部４２へ出力する。
【０１６０】  シーンチェンジ検出部７６は、例えば第ｎ＋２フレーム画像データ６３ａでシーンチェンジを検出した場合に、この検出結果をバックライト輝度設定部４２に出力する（ステップＳ５９でＹＥＳ）。
【０１６１】  積算値算出部６８ａは、シーンチェンジ検出部７６の検出結果に基づき、第１フレーム群ＦＧ内の第１フレーム画像データ６３ａから第ｎ＋１フレーム画像データ６３ａまでが同一シーンに属すると判別する。次いで、積算値算出部６８ａは、第１フレーム画像データ６３ａに対応する各輝度設定値Ｌ（ｍ）から第ｎ＋１フレーム画像データ６３ａに対応する各輝度設定値Ｌ（ｍ）までを積算した積算値ＬＳｂを算出する（ステップＳ６０）。積算値算出部６８ａは、積算値ＬＳｂの算出結果を輝度制御部６９ａへ出力する。
【０１６２】  ＜輝度設定値補正処理＞  積算値算出部６８ａにて積算値ＬＳｂが算出された後、輝度制御部６９ａによる各輝度設定値Ｌ（ｍ）の補正処理が開始される（ステップＳ６１）。
【０１６３】  図２２に示すように、輝度制御部６９ａは、第１フレーム画像データ６３ａから第ｎ＋１フレーム画像データ６３ａまでのフレーム数、すなわち、同一シーンのフレーム数をカウントする。次いで、輝度制御部６９ａは、同一シーンのフレーム数と、内部記憶部２８ａに格納されている閾値５３の上限値ＵＬ及び下限値ＬＬとに基づき、シーン用閾値７８の上限値ＵＬｂと下限値ＬＬｂとを決定する（第２の決定処理、ステップＳ６３）。
【０１６４】  第２の決定処理後に、輝度制御部６９ａは第２の補正処理を開始する。この際に、係数ＫＵ及び係数ＫＬがそれぞれ「１」に設定されている（ステップＳ６４）。輝度制御部６９ａは、積算値ＬＳｂが上限値ＵＬｂよりも大きくなる場合（ＬＳｂ＞ＵＬｂ）には、係数ＫＵに対する減算処理と、同一シーンの各輝度設定値Ｌ（ｍ）に対するＫＵ乗算処理とを行う（ステップＳ６５〜Ｓ６７）。次いで、輝度制御部６９ａは、ＫＵ乗算処理後の各輝度設定値Ｌ（ｍ）の新たな積算値ＬＳｂを求める（ステップＳ６８）。以下、輝度制御部６９ａは、積算値ＬＳｂが上限値ＵＬｂ以下（ＬＳｂ≦ＵＬｂ）となるまでステップＳ６６からステップＳ６８までの各処理を繰り返し実行する。
【０１６５】  次いで、輝度制御部６９ａは、積算値ＬＳｂが下限値ＬＬｂよりも小さくなる場合（ＬＳｂ＜ＬＬｂ）には、係数ＫＬに対する加算処理と、同一シーンの各輝度設定値Ｌ（ｍ）に対するＫＬ乗算処理を行う（ステップＳ６９〜Ｓ７１）。次いで、輝度制御部６９ａは、ＫＬ乗算処理後の各輝度設定値Ｌ（ｍ）の新たな積算値ＬＳｂを求める（ステップＳ７２）。以下、輝度制御部６９ａは、積算値ＬＳｂが下限値ＬＬｂ以上（ＬＳｂ≧ＬＬｂ）となるまで、ステップＳ７０からステップＳ７２までの各処理を繰り返し実行する。
【０１６６】  ステップＳ６９でＹＥＳと判定されると、同一シーンにおける各輝度設定値Ｌ（ｍ）の補正処理が終了する。輝度制御部６９ａは、補正済みの各輝度設定値Ｌ（ｍ）をフレーム番号順にバックライト制御部４６へ出力する。バックライト制御部４６は、補正済みの各輝度設定値Ｌ（ｍ）を一時的に格納する。
【０１６７】  図２１に戻って、第１フレーム群ＦＧの残りのフレーム画像データ６３ａについての輝度設定値Ｌ（ｍ）の算出・積算、並びに画像データＤ（ｍ）の階調補正処理が行われる（ステップＳ２−５、ステップＳ３〜Ｓ９、ステップＳ３９でＮＯ、ステップＳ４０）。この際に、シーンチェンジ検出部７６でシーンチェンジが検出された場合には（ステップＳ５９でＹＥＳ）、図２２に示したステップＳ６３からステップＳ７２までの処理が再度実行される。なお、ここでは説明の煩雑化を防止するため、残りの各フレーム画像データ６３ａ間ではシーンチェンジが検出されないものとして説明を行う（ステップＳ５９でＮＯ）。
【０１６８】  第１フレーム群ＦＧの残りのフレーム画像データ６３ａについての輝度設定値Ｌ（ｍ）の算出及び積算等が完了すると（ステップＳ３９でＹＥＳ）、積算値算出部６８ａが作動する。積算値算出部６８ａは、第１フレーム群ＦＧの残りのフレーム画像データ６３ａ（第ｎ＋２フレーム画像データ６３ａから第ｎ＋ｋフレーム画像データ６３ａ）が同一シーンに属すると判別する。次いで、積算値算出部６８ａは、第ｎ＋２フレーム画像データ６３ａに対応する各輝度設定値Ｌ（ｍ）から第ｎ＋ｋフレーム画像データ６３ａに対応する各輝度設定値Ｌ（ｍ）までを積算した積算値ＬＳｂを算出する（ステップＳ７５）。この積算値ＬＳｂの算出結果は、輝度制御部６９ａに入力される。
【０１６９】  積算値算出部６８ａにて積算値ＬＳｂが算出された後、再度、輝度制御部６９ａによる各輝度設定値Ｌ（ｍ）の補正処理が開始される（ステップＳ７６）。これにより、図２２に示したステップＳ６３からステップＳ７２までの処理が再度実行され、先のステップＳ６１とは異なるシーンにおける各輝度設定値Ｌ（ｍ）の補正処理が行われる。この補正処理済みの各輝度設定値Ｌ（ｍ）についてもバックライト制御部４６に一時的に格納される。
【０１７０】  次いで、液晶パネル制御部４５は、第１フレーム群ＦＧのフレームごとの画像データＤ（ｍ）に基づき液晶パネル１８の画素の透過率を制御する。また、バックライト制御部４６は、先に格納された各輝度設定値Ｌ（ｍ）をフレーム番号順に読み出して、各輝度設定値Ｌ（ｍ）に基づきバックライト部２０のバックライト輝度を制御する。これにより、液晶パネル１８の表示領域に、第１フレーム群ＦＧの各フレーム画像データ６３ａに基づくフレーム画像が順次表示される（ステップＳ７７）。
【０１７１】  以下同様にして、残りのフレーム群ＦＧについても、上述の第１フレーム群ＦＧの表示制御処理と同様の表示制御処理が行われる（ステップＳ７８でＹＥＳ，ステップＳ７９）。これにより、動画像データ６３に基づく動画像が表示される。
【０１７２】  操作部１５または操作パネル１９にて新たな動画像データ６３の選択操作がなされると（ステップＳ８０でＹＥＳ）、前述の各ステップの処理が繰り返し実行される。これにより、新たな動画像データ６３に基づく動画像が表示される。
【０１７３】  図２３に示すように、第４実施形態では、フレーム群ＦＧ内の同一シーンに属する各フレーム画像データ６３ａ（図中の入力画像）の間の垂直ブランキング期間内に、前のフレーム画像データ６３ａについての各輝度設定値Ｌ（ｍ）の算出ＳＡ及び階調補正ＳＢが実行される。また、フレーム群ＦＧ内の異なるシーンの間の垂直ブランキング期間内と、各フレーム群ＦＧの間の垂直ブランキング期間内とにおいて、各輝度設定値Ｌ（ｍ）の算出ＳＡ及び階調補正ＳＢに加えて、前シーンにおける各輝度設定値Ｌ（ｍ）の補正ＳＣが実行される。そして、この補正ＳＣの後に、前のフレーム群ＦＧの各フレーム画像データ６３ａに基づくフレーム画像が表示される。
【０１７４】  ＜第４実施形態の作用効果＞  第４実施形態のタブレット端末７５では、シーン単位で各輝度設定値Ｌ（ｍ）の補正を行うため、フレーム群ＦＧ内でシーンチェンジが発生した場合でも各輝度設定値Ｌ（ｍ）に対して最適な補正を行うことができる。すなわち、フレーム間の差分が少ない場合（シーンチェンジが発生していない場合）に、フレーム画像データ６３ａごとに輝度設定値を変更するとちらつきが発生するが、本実施形態ではフレーム間の差分が所定値以上ある場合（シーンチェンジが発生している場合）に輝度設定値が変更される。これにより、フレーム群ＦＧ内でシーンチェンジが発生した場合には、第３実施形態よりも視聴に適した鮮明な画像の表示を行うことができる。
【０１７５】  ［第５実施形態］  次に、図２４を用いて本発明の第５実施形態のタブレット端末８０について説明を行う。上記各実施形態では、液晶表示部１２の周囲の照度に関係なく閾値５３（上限値ＵＬ、下限値ＬＬ）は固定値であるが、ユーザＨが表示画像を眩しく感じるか否かは液晶表示部１２の周囲の照度に依存する。例えば、液晶表示部１２の周囲の照度が高い場合には、バックライト輝度（表示輝度）を高く設定しても視聴者が表示画像を眩しく感じることはない。さらに、このような場合にはバックライト輝度を高く設定した方が、表示画像が視聴に適した鮮明な画像となる。そこで、タブレット端末８０では、液晶表示部１２の周囲の照度に応じて上限値ＵＬ及び下限値ＬＬを変更する。
【０１７６】  タブレット端末８０は、照度検出部８１を備えるとともに、バックライト輝度設定部４２に閾値変更制御部（第１の閾値変更制御部）８２が設けられている点を除けば、第１実施形態と基本的に同じ構成である。このため、上記第１実施形態と機能・構成上同一のものについては、同一符号を付してその説明は適宜省略する。
【０１７７】  照度検出部８１は、液晶表示部１２の周囲に配置されており、この液晶表示部１２の周囲の照度を検出する。ここで「照度」とは、平面状の物体に照射された光の明るさを表す物理量であり、単位面積あたりに照射された光束と等しい。なお、この照度検出部８１としては公知の各種照度センサが用いられる。照度検出部８１は、照度の検出結果を閾値変更制御部８２へ出力する。
【０１７８】  図２５に示すように、閾値変更制御部８２は、照度検出部８１の検出結果に基づいて、内部記憶部２８ａから読み出した閾値５３の上限値ＵＬと下限値ＬＬとを変更する。具体的に、閾値変更制御部８２は、液晶表示部１２の周囲の照度が高くなるのに従い上限値ＵＬ及び下限値ＬＬを高くし、逆に周囲の照度が低くなるのに従い上限値ＵＬ及び下限値ＬＬを低くする。
【０１７９】  この際に、バックライト輝度の大きさには上限がある。このため、閾値変更制御部８２は、照度が予め定めた照度上限値ＬＭ１よりも大きくなる場合に、上限値ＵＬと下限値ＬＬとを一定値（図中ではＵＬ＝７００００ｃｄ／ｍ２、ＬＬ＝６００００ｃｄ／ｍ２）に固定する。
【０１８０】  図２４に戻って、閾値変更制御部８２は、照度に応じた上限値ＵＬ及び下限値ＬＬの値を輝度制御部５１に出力する。輝度制御部５１は、閾値変更制御部８２から入力された上限値ＵＬ及び下限値ＬＬと、前述の積算値ＬＳとに基づいて各輝度設定値Ｌ（ｍ）の補正処理を行う。なお、補正処理は、第１実施形態と基本的に同じであるのでここでは説明を省略する。
【０１８１】  このように第５実施形態のタブレット端末８０では、液晶表示部１２の周囲の照度に応じて閾値５３を変更するので、この照度の大きさに関係なく、視聴者が眩しく感じることがない視聴に適した鮮明な画像を液晶表示部１２に表示することができる。
【０１８２】  ［第６実施形態］  次に、図２６を用いて本発明の第６実施形態のタブレット端末８５について説明を行う。上記第５実施形態では、液晶表示部１２の周囲の照度に応じて閾値５３を変更しているが、ユーザＨが表示画像を眩しく感じるか否かは視聴距離ＶＬ（図７参照）にも依存する。例えば、バックライト輝度（表示輝度）が同じであっても、視聴距離ＶＬが短くなるほどユーザＨが表示画像を眩しく感じ易くなり、逆に視聴距離ＶＬが長くなるほどユーザＨは表示画像を暗く感じるため鮮明な表示画像を視聴できない。そこで、タブレット端末８５では、視聴距離ＶＬに応じて上限値ＵＬ及び下限値ＬＬを変更する。
【０１８３】  タブレット端末８５は、顔撮影用カメラ部８７と顔検出部８８と視聴距離判別部８９とを備えるとともに、バックライト輝度設定部４２に閾値変更制御部（第２の閾値変更制御部）９０が設けられている点を除けば、第１実施形態と基本的に同じ構成である。このため、上記第１実施形態と機能・構成上同一のものについては、同一符号を付してその説明は適宜省略する。
【０１８４】  顔撮影用カメラ部８７は、例えば液晶表示部１２の近傍に設けられており、ユーザＨの顔を撮像する。この顔撮影用カメラ部８７の撮影により得られた顔撮影画像データは、顔検出部８８へ出力される。
【０１８５】  顔検出部８８は、顔撮影用カメラ部８７より入力された顔撮影画像データに対して周知の顔検出処理を行い、顔撮影画像データ内におけるユーザＨの顔領域の大きさなどを検出する。顔検出部８８は、顔検出処理により検出したユーザＨの顔領域の大きさなどの情報を、顔検出情報として視聴距離判別部８９へ出力する。
【０１８６】  視聴距離判別部８９は、顔検出部８８から入力される顔検出情報に基づき、視聴距離ＶＬの大きさを判別する。例えば顔撮影画像データ内におけるユーザＨの顔領域の大きさが大きくなるほど視聴距離ＶＬは短くなる。このため、顔領域の大きさと視聴距離ＶＬとの関係を予め求めておくことで、視聴距離判別部８９は、顔検出情報から視聴距離ＶＬの大きさを判別することができる。視聴距離判別部８９は、視聴距離ＶＬの判別結果を閾値変更制御部９０へ出力する。
【０１８７】  図２７に示すように、閾値変更制御部９０は、視聴距離判別部８９の判別結果に基づいて、内部記憶部２８ａから読み出した閾値５３の上限値ＵＬと下限値ＬＬとを変更する。具体的に、閾値変更制御部９０は、視聴距離ＶＬが長くなるのに従い上限値ＵＬ及び下限値ＬＬを高くし、逆に視聴距離ＶＬが短くなるのに従い上限値ＵＬ及び下限値ＬＬを低くする。また、第５実施形態と同様に閾値変更制御部９０は、視聴距離ＶＬが予め定めた距離上限値ＬＭ２よりも大きくなる場合に、上限値ＵＬと下限値ＬＬとを一定値（図中ではＵＬ＝７００００ｃｄ／ｍ２、ＬＬ＝６００００ｃｄ／ｍ２）に固定する。
【０１８８】  図２６に戻って、閾値変更制御部９０は、視聴距離ＶＬに応じた上限値ＵＬ及び下限値ＬＬの値を輝度制御部５１に出力する。輝度制御部５１は、閾値変更制御部８２から入力された上限値ＵＬ及び下限値ＬＬと、前述の積算値ＬＳとに基づいて各輝度設定値Ｌ（ｍ）の補正処理を行う。
【０１８９】  このように第６実施形態のタブレット端末８５では、視聴距離ＶＬに応じて閾値５３を変更するので、視聴距離ＶＬに関係なく、視聴者が眩しく感じることがない視聴に適した鮮明な画像を液晶表示部１２に表示することができる。
【０１９０】  なお、上記第６実施形態では、視聴距離判別部８９が顔検出情報に基づき視聴距離ＶＬの大きさを判別しているが、公知の各種方法を用いて視聴距離ＶＬの大きさを判別してもよい。例えば、赤外線の送受信センサを液晶表示部１２の周囲に設け、ユーザＨに向けて照射された赤外線が反射されて戻ってくるまでの時間を検出することで、視聴距離ＶＬの大きさを判別してもよい。
【０１９１】  ［第７実施形態］  次に、図２８を用いて本発明の第７実施形態のタブレット端末９５について説明を行う。上記第５及び第６実施形態では液晶表示部１２の周囲の照度や視聴距離ＶＬに応じて閾値５３を変更しているが、タブレット端末９５では電源の種類に応じて閾値を変更する。
【０１９２】  タブレット端末９５は、ＡＣ電源（外部電源）５５またはバッテリ９６から供給される電力により作動する。また、タブレット端末９５は、電源判定部９７と、バックライト輝度設定部４２に設けられた閾値変更制御部（第３の閾値変更制御部）９８とを備えるとともに、内部記憶部２８ａに第１閾値９９ａと第２閾値９９ｂとが記憶されている点を除けば、第１実施形態と基本的に同じ構成である。このため、上記第１実施形態と機能・構成上同一のものについては、同一符号を付してその説明は適宜省略する。なお、本発明の外部電源としてＡＣ電源５５以外の各種電源を用いてもよい。
【０１９３】  第１閾値９９ａの上限値ＵＬ１と下限値ＬＬ１はそれぞれ第１実施形態の閾値５３の上限値ＵＬと下限値ＬＬと同じ値である。また、第２閾値９９ｂの上限値ＵＬ２は上限値ＵＬ１よりも小さい値に設定され、下限値ＬＬ２は下限値ＬＬ１よりも小さい値に設定されている。
【０１９４】  電源判定部９７は、電源部３２がＡＣ電源５５またはバッテリ９６のいずれから電力供給を受けているかを判定し、この判定結果を閾値変更制御部９８へ出力する。
【０１９５】  閾値変更制御部９８は、電源判定部９７による判定結果に基づき、電源部３２がＡＣ電源５５から電力供給を受けている場合に、内部記憶部２８ａから第１閾値９９ａの上限値ＵＬ１及び下限値ＬＬ１を取得して輝度制御部５１へ出力する。この場合に輝度制御部５１は、上限値ＵＬ１及び下限値ＬＬ１と、前述の積算値ＬＳとに基づいて各輝度設定値Ｌ（ｍ）の補正処理を行う。
【０１９６】  また、閾値変更制御部９８は、電源判定部９７による電源判別結果に基づき、電源部３２がバッテリ９６から電力供給を受けている場合に、内部記憶部２８ａから第２閾値９９ｂの上限値ＵＬ２及び下限値ＬＬ２を取得して輝度制御部５１へ出力する。この場合に輝度制御部５１は、上限値ＵＬ２及び下限値ＬＬ２と、前述の積算値ＬＳとに基づいて各輝度設定値Ｌ（ｍ）の補正処理を行う。
【０１９７】  このように第７実施形態では、バッテリ９６から電力供給がなされている場合には、ＡＣ電源５５からの電力供給時における上限値ＵＬ１及び下限値ＬＬ１よりも低く設定された上限値ＵＬ２及び下限値ＬＬ２に基づき、各輝度設定値Ｌ（ｍ）が補正される。このため、ＡＣ電源５５から電力供給がなされている場合よりもバッテリ９６から電力供給がなされている場合の方が各輝度設定値Ｌ（ｍ）は低く抑えられる。その結果、バッテリ９６から電力供給がなされている場合には、バックライト輝度を低くすることで消費電力を減らすことができる。
【０１９８】  なお、上記第５実施形態から第７実施形態の中の少なくとも２つの実施形態を適宜組み合わせてもよい。また、上記第５実施形態から第７実施形態と、上記第２実施形態から上記第４実施形態のいずれかとを組み合わせてもよい。この際に、第３実施形態において上限値ＵＬａ及び下限値ＬＬａを固定値として内部記憶部２８ａに予め記憶しておく場合にも、上記第５実施形態から第７実施形態で説明した方法を適用して上限値ＵＬａ及び下限値ＬＬａを変更してもよい。
【０１９９】  ［第８実施形態］  次に、図２９を用いて本発明の第８実施形態のタブレット端末１１０について説明を行う。上記各実施形態では、セグメント領域２２（ｍ）ごとの輝度設定値Ｌ（ｍ）の積算値ＬＳを求めて、この積算値ＬＳが閾値の範囲内になるように定めた係数（ＫＵ，ＫＬ）を各輝度設定値Ｌ（ｍ）に乗算する補正を行っている。これに対して、タブレット端末１１０では、画像データの一画面分のＡＰＬ（平均輝度レベル）の算出結果に基づき定められた係数を各輝度設定値Ｌ（ｍ）に乗算する補正を行う。
【０２００】  タブレット端末１１０は、そのＣＰＵ３３がバックライト輝度設定部１１２として機能するとともに、内部記憶部（対応関係記憶部）２８ａにテーブル（対応関係）１１３が格納されている点を除けば、上記第１及び第２実施形態のタブレット端末１０，６０と基本的に同じ構成である。このため、上記第１及び２実施形態と機能・構成上同一のものについては、同一符号を付してその説明は適宜省略する。
【０２０１】  バックライト輝度設定部１１２は、前述の輝度設定値算出部４９の他に、ＡＰＬ算出部（平均輝度レベル算出部）１１４と輝度制御部１１５とを備えている。ＡＰＬ算出部１１４は、階調補正処理後の１画面分の画像データＤ（ｍ）［例えば画像データ（０）〜画像データ（６３）］のＡＰＬを算出する。具体的には、１画面分の画像データＤ（ｍ）の画素値をＤ（ｉ）とし、垂直方向の画素数をＨＧとし、水平方向の画素数をＬＧとした場合に、ＡＰＬは式［ＡＰＬ＝ΣＤ（ｉ）／（ＨＧ×ＬＧ）、ｉ＝０〜（ＨＧ×ＬＧ−１）］から算出することができる。ＡＰＬは、１画面分の画像データＤ（ｍ）の画素値Ｄ（ｉ）の平均値であるので、本発明の画像データの映像信号レベルの統計量に相当する。なお、以下、「階調補正処理後の１画面分の画像データＤ（ｍ）」を単に「階調補正画像データＤ（ｍ）」と省略する。
【０２０２】  なお、本実施形態ではＡＰＬを百分率で表現する。ＡＰＬ＝１００％の場合には、画像全体が白の画像となり、画像は最も明るい状態にある。逆にＡＰＬ＝０％では、画像は最も暗い状態にある。ＡＰＬ算出部１１４は、ＡＰＬの算出結果を輝度制御部１１５へ出力する。
【０２０３】  輝度制御部１１５は、ＡＰＬ算出部１１４により算出されたＡＰＬに基づき、内部記憶部２８ａ内のテーブル１１３を参照して係数ｋＣを定め、この係数ｋＣを各セグメント領域２２（ｍ）の輝度設定値Ｌ（ｍ）に乗算して補正する。
【０２０４】  図３０に示すように、テーブル１１３は、予め定められている視聴に適したＡＰＬと係数ｋＣとの対応関係を示すものである。このテーブル１１３は、前述の特性Ａを基に設定されている。ここで、視聴者が眩しく感じることがない視聴に適した鮮明な画像を得るためには、前述したように、図７に示した条件（照度＝２００（ｌｘ）、視聴距離ＶＬ０．５ｍ、ＡＣ電源駆動）において、ＡＰＬを１００％（全白表示）にした場合の表示輝度のピークを５００ｃｄ／ｍ２以上から１０００ｃｄ／ｍ２以下とするのがよい。このため、テーブル１１３では、１画面分の画像データＤ（ｍ）のＡＰＬをパラメータとして、ＡＰＬを１００％にした場合の表示輝度のピークが上記範囲内となるように各輝度設定値Ｌ（ｍ）を補正するための係数ｋＣが定められている。この数ｋＣは実験やシミュレーションにより適宜に定めることができる。これにより、輝度制御部１１５は、テーブル１１３を参照して、ＡＰＬ算出部１１４が算出したＡＰＬに対応する係数ｋＣを決定することができる。すなわち、係数ｋＣは、本発明の画像データの映像信号レベルの統計量に相当するＡＰＬから定められたものである。
【０２０５】  図２９に戻って、輝度制御部１１５による係数ｋＣの乗算処理後の各輝度設定値Ｌ（ｍ）は、バックライト制御部４６へ出力される。バックライト制御部４６は、バックライト輝度設定部１１２から入力された各輝度設定値Ｌ（ｍ）に基づき、各照明部２３（ｍ）のバックライト輝度をそれぞれ制御する。
【０２０６】  また、動画像データ６３に基づく動画像表示時には、上記第２実施形態と基本的に同じように、フレーム画像データ単位で各輝度設定値Ｌ（ｍ）の補正が行われる。すなわち、ＡＰＬ算出部１１４及び輝度制御部１１５はそれぞれフレーム画像データ６３ａ（図１２参照）ごとにＡＰＬの算出と、係数ｋＣの決定及び乗算処理とを行う。
【０２０７】  ＜第８実施形態の作用（静止画像の表示制御処理）＞  次に、図３１に示すフローチャートを用いて、上記構成のタブレット端末１１０の作用、特に静止画像の表示制御処理について説明を行う。なお、画像データ３５の取得からセグメント領域２２（ｍ）ごとの輝度設定値Ｌ（ｍ）の算出処理、並びに画像データＤ（ｍ）の階調補正処理までの流れは、図８に示した第１実施形態（ステップＳ１〜Ｓ５，Ｓ７〜Ｓ９）と同じであるので、ここでは説明を省略する。
【０２０８】  上記のステップＳ９までの処理により、輝度設定値算出部４９は、各輝度設定値Ｌ（ｍ）の算出結果を輝度制御部１１５へ出力する。また、階調補正部４４は、階調補正処理後の各画像データ（ｍ）を輝度制御部１１５へ出力する。次いで、各輝度設定値Ｌ（ｍ）の補正処理（以下、輝度設定値補正処理という）が開始する（ステップＳ９０）。
【０２０９】  ＡＰＬ算出部１１４は、階調補正画像データＤ（ｍ）の全画素値Ｄ（ｉ）の平均値（ΣＤ（ｉ）／（ＨＧ×ＬＧ））からＡＰＬを算出する（ステップＳ９１）。ＡＰＬ算出部１１４は、ＡＰＬの算出結果を輝度制御部１１５へ出力する。
【０２１０】  輝度制御部１１５は、最初に、ＡＰＬ算出部１１４から入力されたＡＰＬに基づき、内部記憶部２８ａ内のテーブル１１３を参照して、ＡＰＬに対応した係数ｋＣを決定する（ステップＳ９２）。次いで、輝度制御部１１５は、輝度設定値算出部４９から入力された各輝度設定値Ｌ（ｍ）に係数ｋＣをそれぞれ乗算して、係数乗算処理後の各輝度設定値Ｌ（ｍ）をバックライト制御部４６へ出力する（ステップＳ９３）。
【０２１１】  以下、第１実施形態と同様に、液晶パネル１８の表示領域に画像データ３５に基づく画像が表示される（ステップＳ２２）。そして、操作パネル１９などにて新たな画像データ３５の選択操作（例えば表示切替操作）がなされると（ステップＳ２３でＹＥＳ）、前述の各ステップの処理が繰り返し実行される。また、操作部１５等にてスライドショー表示の操作がなされた場合には、前述の各ステップの処理が一定時間間隔で繰り返し実行される。
【０２１２】  ＜動画像の表示制御処理＞  図３２に示すように、タブレット端末１１０の動画像の表示制御処理は、図１３に示した第２実施形態の表示制御のフローのうちのステップＳ６を削除し、かつステップＳ１０，Ｓ１１を、図３１に示したステップＳ９０に置き換えたものである。すなわち、動画像データ６３のフレーム画像データ６３ａごとに、各セグメント領域２２（ｍ）の輝度設定値Ｌ（ｍ）の算出、画像データＤ（ｍ）の階調補正、ＡＰＬの算出、係数ｋＣの決定、乗算処理、画像表示処理がそれぞれ実行される。これにより、動画像データ６３に基づく動画像が表示される。
【０２１３】  ＜第８実施形態の作用効果＞  このように本発明の第８実施形態では、輝度設定値Ｌ（ｍ）の補正を行うことにより、ＡＰＬを１００％にした場合の表示輝度のピークを５００ｃｄ／ｍ２以上から１０００ｃｄ／ｍ２以下の範囲内に調整することができる。また、各輝度設定値Ｌ（ｍ）に一律に係数ｋＣを乗算しているので、前述の図１０の（Ｂ）部分に示した比較例のように、ＡＰＬの低い画像（夜空等）を表示する際に明部（月等）のバックライト輝度が所定の上限値以下に抑えられることが防止される。このため、比較例のように、表示画像のコントラスト比が低下して、表示画像の画質が低下してしまうことが防止される。その結果、第１実施形態と同様に、コントラスト比を弱めることなく鮮明な表示画像が得られる。また、演算は簡易であり、ＢＬＤ制御のための処理と並行して係数が求められるため、処理を高速化できるとともに、タブレット端末１１０を低コスト化することができる。
【０２１４】  ［第９実施形態］  次に、図３３を用いて本発明の第３実施形態のタブレット端末１２０について説明する。上記第８実施形態では、動画表示時にフレーム単位で各輝度設定値Ｌ（ｍ）の補正を行うが、タブレット端末１２０では、上記第３及び第４実施形態と同様に、フレーム群単位あるいはシーン単位で各輝度設定値Ｌ（ｍ）の補正を行う。
【０２１５】  タブレット端末１２０は、そのＣＰＵ３３がバックライト輝度設定部１２２として機能するとともに、内部記憶部２８ａに第８実施形態のテーブル１１３が格納されている点を除けば、上記第４実施形態のタブレット端末７５と基本的に同じ構成である。このため、上記第４及び第８実施形態と機能・構成上同一のものについては、同一符号を付してその説明は適宜省略する。
【０２１６】  バックライト輝度設定部１２２は、前述の輝度設定値算出部４９の他に、ＡＰＬ算出部（平均輝度レベル算出部）１２３と輝度制御部１２４とを備えている。ＡＰＬ算出部１２３と輝度制御部１２４は、それぞれシーンチェンジ検出部７６の検出結果に基づき、フレーム群単位あるいはシーン単位でのＡＰＬの算出、輝度設定値Ｌ（ｍ）の補正を行う。
【０２１７】  ＡＰＬ算出部１２３は、シーンチェンジ検出部７６によりフレーム群ＦＧ内でのシーンチェンジが検出されなかった場合に、フレーム群単位でＡＰＬの算出を行う。具体的に、ＡＰＬ算出部１２３は、フレーム群ＦＧ内の任意のフレーム画像データ６３ａに対応する階調補正画像データＤ（ｍ）の全画素値Ｄ（ｉ）の平均値からＡＰＬを算出する。すなわち、ＡＰＬ算出部１２３は、フレーム群ＦＧ内の任意のフレーム画像データ６３ａのＡＰＬをフレーム群ＦＧの代表のＡＰＬとして算出し、この算出結果を輝度制御部１２４へ出力する。
【０２１８】  一方、ＡＰＬ算出部１２３は、シーンチェンジ検出部７６によりフレーム群ＦＧ内でのシーンチェンジが検出された場合に、シーン単位でＡＰＬの算出を行う。例えば、フレーム群ＦＧが第ｎフレーム画像データ６３ａ、第ｎ＋１フレーム画像データ６３ａ、・・・、第ｎ＋ｋフレーム画像データ６３ａで構成されており、第ｎ＋１フレーム画像データ６３ａと第ｎ＋２フレーム画像データ６３ａとの間でシーンチェンジが発生している場合を例に挙げて説明を行う。この場合に、ＡＰＬ算出部１２３は、第ｎ＋１フレーム画像データ６３ａから第ｎ＋２フレーム画像データ６３ａまでを含むシーン内の任意のフレーム画像データ６３ａのＡＰＬを、このシーンの代表のＡＰＬとして算出する。次いで、ＡＰＬ算出部１２３は、第ｎ＋２フレーム画像データ６３ａから第ｎ＋ｋフレーム画像データ６３ａまでを含む次のシーン内の任意のフレーム画像データ６３ａのＡＰＬを、この次のシーンの代表のＡＰＬとして算出する。ＡＰＬ算出部１２３は、シーンごとのＡＰＬ算出結果についても輝度制御部１２４へ出力する。
【０２１９】  なお、フレーム群ＦＧ内あるいはシーン内の任意のフレーム画像データ６３ａのＡＰＬとは、１つのフレーム画像データ６３ａのＡＰＬに限定されるものではなく、複数のフレーム画像データ６３ａのＡＰＬの代表値（平均値、最大値、最小値等）であってもよい。
【０２２０】  輝度制御部１２４は、シーンチェンジ検出部７６によりフレーム群ＦＧ内でのシーンチェンジが検出されなかった場合に、ＡＰＬ算出部１２３から入力されるフレーム群ＦＧごとのＡＰＬの算出結果に基づき、内部記憶部２８ａ内のテーブル１１３を参照して、フレーム群ＦＧごとに係数ｋＣを決定する。次いで、輝度制御部１２４は、フレーム群ＦＧごとの係数ｋＣをそれぞれ対応するフレーム群ＦＧの各輝度設定値Ｌ（ｍ）に乗算する。これにより、フレーム群単位で各輝度設定値Ｌ（ｍ）が補正される。
【０２２１】  一方、輝度制御部１２４は、シーンチェンジ検出部７６によりフレーム群ＦＧ内でのシーンチェンジが検出された場合に、ＡＰＬ算出部１２３から入力されるシーンごとのＡＰＬの算出結果に基づき、内部記憶部２８ａ内のテーブル１１３を参照して、シーンごとに係数ｋＣを決定する。次いで、輝度制御部１２４は、シーンごとの係数ｋＣをそれぞれ対応するシーンの各輝度設定値Ｌ（ｍ）に乗算する。これにより、フレーム群ＦＧ内のシーン単位で各輝度設定値Ｌ（ｍ）が補正される。輝度制御部１２４は、補正後の各輝度設定値Ｌ（ｍ）をバックライト制御部４６へ出力する。
【０２２２】  シーンチェンジ検出部７６は、連続する２つのフレーム画像データ６３ａのＡＰＬを算出してその差分が予め定めた閾値を超えるか否かを判定することにより、シーンチェンジの発生の有無を検出する。また、シーンチェンジ検出部７６によるシーンチェンジの検出のＯＮ／ＯＦＦは操作部１５等で設定可能であり、シーンチェンジの検出がＯＦＦに設定された場合には、フレーム群単位でＡＰＬの算出、及び輝度設定値Ｌ（ｍ）の補正が行われる。
【０２２３】  ＜第９実施形態の作用（シーンチェンジ検出ＯＦＦ）＞  次に、図３４に示すフローチャートを用いて、上記構成のタブレット端末１２０の作用、特にシーンチェンジの検出がＯＦＦされている場合の動画像の表示制御処理について説明を行う。なお、ステップＳ１−１からステップＳ３９までの処理（ステップＳ６は省略）は、図１７に示した第３実施形態と基本的に同じであるので、ここでは説明を省略する。
【０２２４】  上記のステップＳ３９までの処理が完了すると、フレーム群単位での輝度設定値補正処理が開始する（ステップＳ９６）。
【０２２５】  ＡＰＬ算出部１２３は、第１フレーム群ＦＧ内の任意のフレーム画像データ６３ａ、例えば先頭のフレーム画像データ６３ａに対応する階調補正画像データＤ（ｍ）の全画素値Ｄ（ｉ）の平均値からＡＰＬを算出する（ステップＳ９７）。そして、ＡＰＬ算出部１２３は、第１フレーム群ＦＧのＡＰＬの算出結果を輝度制御部１２４へ出力する。
【０２２６】  輝度制御部１２４は、ＡＰＬ算出部１２３から入力されたＡＰＬに基づき、内部記憶部２８ａ内のテーブル１１３を参照して、第１フレーム群ＦＧの係数ｋＣを決定する（ステップＳ９８）。次いで、輝度制御部１１５は、輝度設定値算出部４９から入力された第１フレーム群ＦＧの各輝度設定値Ｌ（ｍ）に係数ｋＣをそれぞれ乗算して、係数乗算処理後の各輝度設定値Ｌ（ｍ）をバックライト制御部４６へフレーム番号順に出力する（ステップＳ９９）。
【０２２７】  以下、第３実施形態（図１７参照）と同様に、液晶パネル１８の表示領域に、第１フレーム群ＦＧの各フレーム画像データ６３ａに基づくフレーム画像が順次表示される（ステップＳ５４）。そして、残りのフレーム群ＦＧについても、上述の第１フレーム群ＦＧの表示制御処理と同様の表示制御処理が行われる（ステップＳ５５，Ｓ５６）。これにより、動画像データ６３に基づく動画像が表示される。また、操作部１５等にて新たな動画像データ６３の選択操作がなされると（ステップＳ５７）、前述の各ステップの処理が繰り返し実行されることで、新たな動画像データ６３に基づく動画像が表示される。
【０２２８】  なお、第９実施形態（シーンチェンジ検出ＯＦＦ）では、前述の図１９に示した第３実施形態と同様のタイミングにて、輝度設定値Ｌ（ｍ）の算出ＳＡ、階調補正ＳＢ、及び輝度設定値Ｌ（ｍ）の補正ＳＣ（ここでは、ＡＰＬの算出、係数ｋＣの決定・乗算）が実行される。そして、この補正ＳＣ後に、前のフレーム群ＦＧのフレーム画像が表示される。ここで、補正ＳＣにおけるＡＰＬの算出や係数ｋＣの決定は、ＡＰＬの算出対象となるフレーム画像データ６３ａ（例えば第ｎフレーム画像データ６３ａ）の階調補正ＳＢ後に開始してもよい。
【０２２９】  ＜第９実施形態の作用効果（シーンチェンジ検出ＯＦＦ）＞  このように第９実施形態のタブレット端末１２０では、第３実施形態のタブレット端末６６と同様にフレーム群単位で各輝度設定値Ｌ（ｍ）の補正を行うため、フレーム画像単位で各輝度設定値Ｌ（ｍ）の補正を行う第２実施形態と比較して、動画像のちらつきが低減される。また、ＣＰＵ３３の演算負荷を減らすことができる。
【０２３０】  ＜第９実施形態の作用（シーンチェンジ検出ＯＮ）＞  次に、図３５に示すフローチャートを用いて、上記構成のタブレット端末１２０にてシーンチェンジの検出がＯＮされている場合の動画像の表示制御処理について説明を行う。なお、フレーム群ＦＧ内でシーンチェンジが検出されない場合の処理の流れは、図３４に示した表示制御処理と基本的に同じであるので、ここではシーンチェンジが検出される場合ついてのみ説明を行う。
【０２３１】  また、ステップＳ１からステップＳ３９までの処理は、図３４に示したシーンチェンジ検出ＯＦＦの場合と基本的に同じであるので説明を省略する。ただし、第９実施形態では、シーンチェンジ検出部７６が各フレーム画像データ６３ａ間でシーンチェンジが発生したか否かを検出する（Ｓ１２−１）。
【０２３２】  ＜シーンチェンジ検出処理＞  図３６に示すように、シーンチェンジ検出部７６は、伸長部３９から順次出力されるフレーム画像データ６３ａのＡＰＬを逐次算出して記憶する（ステップＳ１０５）。そして、シーンチェンジ検出部７６は、第ｑ（ここではｑ≧２）フレーム画像データ６３ａのＡＰＬ（ｑ）を算出して記憶する際に、このＡＰＬ（ｑ）と、先に記憶した第ｑ−１フレーム画像データ６３ａのＡＰＬ（ｑ−１）とを比較する（ステップＳ１０６，Ｓ１０７）。
【０２３３】  次いで、シーンチェンジ検出部７６は、ＡＰＬ（ｑ）とＡＰＬ（ｑ−１）との差分の絶対値が予め定められたシーンチェンジ閾値Ｔｃ以上となる場合には（ステップＳ１０８でＹＥＳ）、第ｑ−１フレーム画像データ６３ａと第ｑフレーム画像データ６３ａとの間でシーンチェンジが発生したと判定する。また、逆に、シーンチェンジ検出部７６は、差分の絶対値がシーンチェンジ閾値Ｔｃ未満となる場合には（ステップＳ１０８でＮＯ）、第ｑ−１フレーム画像データ６３ａと第ｑフレーム画像データ６３ａとの間でのシーンチェンジは無しと判定する（ステップＳ１１０）。これにより、連続する２つのフレーム画像データ６３ａ間でシーンチェンジが発生したか否かを検出することができる。
【０２３４】  シーンチェンジ検出部７６は、例えば第ｎ＋２フレーム画像データ６３ａでシーンチェンジを検出した場合に、この検出結果をバックライト輝度設定部１２２（ＡＰＬ算出部１２３、輝度制御部１２４）に出力する（ステップＳ１２−２でＹＥＳ）。
【０２３５】  ＜輝度設定値補正処理＞  図３７に示すように、ＡＰＬ算出部１２３及び輝度制御部１２４は、シーンチェンジ検出部７６の検出結果に基づき、第１フレーム群ＦＧ内の第１フレーム画像データ６３ａから第ｎ＋１フレーム画像データ６３ａまでが同一シーンに属すると判別して、シーン単位での輝度設定値Ｌ（ｍ）の補正を開始する（ステップＳ１１３）。
【０２３６】  最初に、ＡＰＬ算出部１２３は、同一シーン内の任意のフレーム画像データ６３ａ、例えば先頭のフレーム画像データ６３ａに対応する階調補正画像データＤ（ｍ）の全画素値Ｄ（ｉ）の平均値からＡＰＬを算出する（ステップＳ１１５）。そして、ＡＰＬ算出部１２３は、シーンのＡＰＬの算出結果を輝度制御部１２４へ出力する。
【０２３７】  輝度制御部１２４は、ＡＰＬ算出部１２３から入力されたＡＰＬに基づき、内部記憶部２８ａ内のテーブル１１３を参照して、シーンのＡＰＬに対応した係数ｋＣを決定する（ステップＳ１１６）。次いで、輝度制御部１２４は、輝度設定値算出部４９から入力された同一シーン（第１フレーム画像データ６３ａから第ｎ＋１フレーム画像データ６３ａ）の各輝度設定値Ｌ（ｍ）に係数ｋＣをそれぞれ乗算する（ステップＳ１０７）。そして、輝度制御部１２４は、係数乗算処理後の各輝度設定値Ｌ（ｍ）をバックライト制御部４６へ出力する。これら各輝度設定値Ｌ（ｍ）は、バックライト制御部４６に一時的に格納される。
【０２３８】  図３５に戻って、第１フレーム群ＦＧの残りのフレーム画像データ６３ａについての輝度設定値Ｌ（ｍ）の算出、並びに画像データＤ（ｍ）の階調補正処理が行われる（ステップＳ２−５，Ｓ３〜Ｓ５，Ｓ７〜Ｓ９，Ｓ１２−１，Ｓ１２−２，Ｓ４０）。この際に、シーンチェンジ検出部７６でシーンチェンジが検出された場合には（ステップＳ１２−２でＹＥＳ）、図３７に示したステップＳ１１５からステップＳ１１７までの処理が再度実行される。なお、ここでは説明の煩雑化を防止するため、残りの各フレーム画像データ６３ａ間ではシーンチェンジが検出されないものとして説明を行う（ステップＳ１２−２でＮＯ）。
【０２３９】  次いで、ＡＰＬ算出部１２３及び輝度制御部１２４が作動する。ＡＰＬ算出部１２３及び輝度制御部１２４は、第１フレーム群ＦＧ内の残りの全てのフレーム画像データ６３ａが同一シーンに属すると判別して、シーン単位での輝度設定値Ｌ（ｍ）の補正を開始する（ステップＳ１１９）。これにより、前述の図３７に示したステップＳ１１５からＳ１１７までの処理が再度実行される。
【０２４０】  具体的には、同一シーン内の任意のフレーム画像データ６３ａに対応する階調補正画像データＤ（ｍ）のＡＰＬの算出と、係数ｋＣの決定と、同一シーンの各輝度設定値Ｌ（ｍ）に対する係数ｋＣの乗算処理とが行われる。そして、係数乗算処理後の各輝度設定値Ｌ（ｍ）が、輝度制御部１２４からバックライト制御部４６へ出力される。
【０２４１】  以下、第４実施形態（図２１参照）と同様に、液晶パネル１８の表示領域に、第１フレーム群ＦＧの各フレーム画像データ６３ａに基づくフレーム画像が順次表示される（ステップＳ５４）。そして、残りのフレーム群ＦＧについても、上述の第１フレーム群ＦＧの表示制御処理と同様の表示制御処理が行われる（ステップＳ７８でＹＥＳ，ステップＳ７９）。これにより、動画像データ６３に基づく動画像が表示される。また、操作部１５等にて新たな動画像データ６３の選択操作がなされると（ステップＳ８０）、前述の各ステップの処理が繰り返し実行されることで、新たな動画像データ６３に基づく動画像が表示される。
【０２４２】  なお、第９実施形態（シーンチェンジ検出ＯＮ）では、前述の図２３に示した第４実施形態と同様のタイミングにて、輝度設定値Ｌ（Ｓ）の算出ＳＡ、階調補正ＳＢ、及び輝度設定値Ｌ（ｍ）の補正ＳＣ（ここでは、ＡＰＬの算出、係数ｋＣの決定・乗算）が実行される。そして、この補正ＳＣ後に、前のフレーム群ＦＧのフレーム画像が表示される。ここで、補正ＳＣにおけるＡＰＬの算出や係数ｋＣの決定は、ＡＰＬの算出対象となるフレーム画像データ６３ａの階調補正ＳＢ後に開始してもよい。
【０２４３】  ＜第９実施形態の作用効果（シーンチェンジ検出ＯＮ）＞  このように第９実施形態のタブレット端末１２０では、第４実施形態のタブレット端末７５と同様にシーン単位で各輝度設定値Ｌ（ｍ）の補正を行うため、第４実施形態と同様にフレーム群ＦＧ内でシーンチェンジが発生した場合でも各輝度設定値Ｌ（ｍ）に対して最適な補正を行うことができる。
【０２４４】  ［第１０実施形態］  次に、図３８を用いて本発明の第１０実施形態のタブレット端末１２６について説明を行う。上記第８及び第９実施形態では、液晶表示部１２の周囲の照度に関係なく共通のテーブル１１３を用いて輝度設定値補正処理を行うが、上記第５実施形態で説明したように、ユーザが表示画像を眩しく感じるか否かは液晶表示部１２の周囲の照度に依存する。そこで、タブレット端末１２６では、液晶表示部１２の周囲の照度に応じて輝度設定値補正処理に使用するテーブルの種類を変更する。
【０２４５】  タブレット端末１２６は、上記第５実施形態の照度検出部８１を備えるとともに、内部記憶部２８ａにテーブル格納部１２７が設けられている点を除けば、上記第８実施形態のタブレット端末１１０と基本的に同じ構成である。このため、上記第５及び８実施形態と機能・構成上同一のものについては、同一符号を付してその説明は適宜省略する。
【０２４６】  テーブル格納部１２７には、例えば、通常照度用テーブル１２９と高照度用テーブル１３０とが格納されている。なお、通常照度用テーブル１２９は、上記第８実施形態のテーブル１１３と同じものである。
【０２４７】  図３９に示すように、高照度用テーブル１３０は通常照度用テーブル１２９よりもＡＰＬごとの係数ｋＣが高く設定されている。このため、高照度用テーブル１３０を用いて輝度設定値補正処理を行った場合には、通常照度用テーブル１２９を用いて輝度設定値補正処理を行った場合よりも各輝度設定値Ｌ（ｍ）の値は高くなる。
【０２４８】  図３８に戻って、第１０実施形態の輝度制御部１１５は、照度検出部８１の検出結果に応じて、テーブル格納部１２７内から輝度設定値補正処理に使用するテーブルの種類を選択する。例えば、輝度制御部１１５は、照度検出部８１の検出結果が所定の照度閾値以下である場合に、テーブル格納部１２７内から通常照度用テーブル１２９を選択し、この通常照度用テーブル１２９とＡＰＬ算出部１１４の算出結果とに基づき輝度設定値補正処理を行う。また逆に、輝度制御部１１５は、照度検出部８１の検出結果が照度閾値よりも大きくなる場合に、テーブル格納部１２７内から高照度用テーブル１３０を選択し、この高照度用テーブル１３０とＡＰＬ算出部１１４の算出結果とに基づき輝度設定値補正処理を行う。
【０２４９】  このように第１０実施形態のタブレット端末１２６では、液晶表示部１２の周囲の照度に応じて輝度設定値補正処理により使用するテーブルの種類を変更するので、周囲の照度が高い場合にはバックライト輝度を通常よりも高くすることができる。これにより、上記第５実施形態と同様に、周囲の照度の大きさに関係なく、視聴者が眩しく感じることがない視聴に適した鮮明な画像を液晶表示部１２に表示することができる。
【０２５０】  なお、テーブル格納部１２７内に、周囲の照度の大きさに応じて係数ｋＣが異なる３種類以上の照度用テーブルが格納されていてもよい。この場合に、輝度制御部１１５は、照度検出部８１の検出結果に基づき、３種類以上の照度用テーブルの中から１つを選択して輝度設定補正処理を行う。
【０２５１】  また、上記第１０実施形態では、静止画像表示に輝度設定値補正処理を行う場合について説明したが、動画表示時にフレーム単位、フレーム群単位、及びシーン単位で輝度設定値補正処理を行う場合にも本発明を適用することができる。
【０２５２】  ［第１１実施形態］  次に、図４０を用いて本発明の第１１実施形態のタブレット端末１３２について説明を行う。上記第１０実施形態では、液晶表示部１２の周囲の照度に応じて輝度設定値補正処理により使用するテーブルの種類を変更するが、上記第６実施形態で説明したように、ユーザが表示画像を眩しく感じるか否かは視聴距離ＶＬ（図７参照）にも依存する。そこで、タブレット端末１３２では、視聴距離ＶＬに応じて輝度設定値補正処理に使用するテーブルの種類を変更する。
【０２５３】  タブレット端末１３２は、上記第６実施形態の顔撮影用カメラ部８７、顔検出部８８、及び視聴距離判別部８９を備えるとともに、内部記憶部２８ａにテーブル格納部１３３が設けられている点を除けば、上記第８実施形態のタブレット端末１１０と基本的に同じ構成である。このため、上記第６及び８実施形態と機能・構成上同一のものについては、同一符号を付してその説明は適宜省略する。
【０２５４】  テーブル格納部１３３には、例えば、通常距離用テーブル１３５と遠距離用テーブル１３６とが格納されている。なお、通常距離用テーブル１３５は、上記第８実施形態のテーブル１１３と同じものである。
【０２５５】  図４１に示すように、遠距離用テーブル１３６は通常距離用テーブル１３５よりもＡＰＬごとの係数ｋＣが高く設定されている。このため、遠距離用テーブル１３６を用いて輝度設定値補正処理を行った場合には、通常距離用テーブル１３５を用いて輝度設定値補正処理を行った場合よりも各輝度設定値Ｌ（ｍ）の値は高くなる。
【０２５６】  図４０に戻って、第１１実施形態の輝度制御部１１５は、視聴距離判別部８９の判別結果に応じて、テーブル格納部１３３内から輝度設定値補正処理に使用するテーブルの種類を選択する。例えば、輝度制御部１１５は、視聴距離判別部８９の判別結果が所定の距離閾値以下である場合に、テーブル格納部１３３内から通常距離用テーブル１３５を選択し、この通常距離用テーブル１３５とＡＰＬ算出部１１４の算出結果とに基づき輝度設定値補正処理を行う。また逆に、輝度制御部１１５は、視聴距離判別部８９の判別結果が距離閾値よりも大きくなる場合に、テーブル格納部１３３内から遠距離用テーブル１３６を選択し、この遠距離用テーブル１３６とＡＰＬ算出部１１４の算出結果とに基づき輝度設定値補正処理を行う。
【０２５７】  このように第１１実施形態のタブレット端末１２６では、視聴距離ＶＬに応じて輝度設定値補正処理により使用するテーブルの種類を変更するので、視聴距離ＶＬが大きい場合にはバックライト輝度を通常よりも高くすることができる。これにより、上記第６実施形態と同様に、視聴距離ＶＬに関係なく、視聴者が眩しく感じることがない視聴に適した鮮明な画像を液晶表示部１２に表示することができる。
【０２５８】  なお、テーブル格納部１２７内に、視聴距離ＶＬに応じて係数ｋＣが異なる３種類以上の照度用テーブルが格納されていてもよい。この場合に、輝度制御部１１５は、視聴距離判別部８９の判別結果に基づき、３種類以上の照度用テーブルの中から１つを選択して輝度設定補正処理を行う。
【０２５９】  また、上記第１１実施形態では、静止画像表示に輝度設定値補正処理を行う場合について説明したが、動画表示時にフレーム単位、フレーム群単位、及びシーン単位で輝度設定値補正処理を行う場合にも本発明を適用することができる。さらに、視聴距離ＶＬを判別する方法についても上記第６実施形態と同様に特に限定はされない。
【０２６０】  ［第１２実施形態］  次に、図４２を用いて本発明の第１２実施形態のタブレット端末１３８について説明を行う。上記第１０及び第１１実施形態では照度や視聴距離ＶＬに応じて輝度設定値補正処理に使用するテーブルの種類を変更しているが、タブレット端末１３８では、上記第７実施形態と同様に電源の種類に応じて輝度設定値補正処理に使用するテーブルの種類を変更する。
【０２６１】  タブレット端末１３８は、上記第７実施形態のバッテリ９６や電源判定部９７等を備えるとともに、内部記憶部２８ａにテーブル格納部１３９が設けられている点を除けば、上記第８実施形態のタブレット端末１１０と基本的に同じ構成である。このため、上記第７及び８実施形態と機能・構成上同一のものについては、同一符号を付してその説明は適宜省略する。
【０２６２】  テーブル格納部１３９には、例えば、ＡＣ電源用テーブル１４１とバッテリ用テーブル１４２とが格納されている。なお、ＡＣ電源用テーブル１４１は、上記第８実施形態のテーブル１１３と同じものである。
【０２６３】  図４３に示すように、バッテリ用テーブル１４２はＡＣ電源用テーブル１４１よりもＡＰＬごと係数ｋＣが低く設定されている。このため、バッテリ用テーブル１４２を用いて輝度設定値補正処理を行った場合には、ＡＣ電源用テーブル１４１を用いて輝度設定値補正処理を行った場合よりも各輝度設定値Ｌ（ｍ）の値は低くなる。
【０２６４】  図４２に戻って、第１２実施形態の輝度制御部１１５は、電源判定部９７の判定結果に応じて、テーブル格納部１３９内から輝度設定値補正処理に使用するテーブルの種類を選択する。例えば、輝度制御部１１５は、電源部３２がＡＣ電源５５から電力供給を受けている場合に、テーブル格納部１３９内からＡＣ電源用テーブル１４１を選択し、このＡＣ電源用テーブル１４１とＡＰＬ算出部１１４の算出結果とに基づき輝度設定値補正処理を行う。また逆に、輝度制御部１１５は、電源部３２がバッテリ９６から電力供給を受けている場合に、テーブル格納部１３９内からバッテリ用テーブル１４２を選択し、このバッテリ用テーブル１４２とＡＰＬ算出部１１４の算出結果とに基づき輝度設定値補正処理を行う。
【０２６５】  このように第１２実施形態のタブレット端末１３８では、バッテリ９６から電力供給がなされている場合にはＡＣ電源駆動時よりも各輝度設定値Ｌ（ｍ）が低く抑えられる。その結果、バッテリ９６から電力供給がなされている場合には、バックライト輝度を低くすることができるので、消費電力を減らすことができる。
【０２６６】  なお、上記第１２実施形態では、静止画像表示に輝度設定値補正処理を行う場合について説明したが、動画表示時にフレーム単位、フレーム群単位、及びシーン単位で輝度設定値補正処理を行う場合にも本発明を適用することができる。
【０２６７】  ［第１３実施形態］  次に、図４４を用いて本発明の第１３実施形態のタブレット端末１４３について説明を行う。上記第８及び第９実施形態のように、１画面分の画像データＤ（ｍ）のＡＰＬに基づき決定した係数ｋＣを各輝度設定値Ｌ（ｍ）に乗算する補正を行った場合に、ＡＰＬの低い画像においてＡＰＬに対する最高輝度の傾きが急峻となり、画像毎の最高輝度のばらつきが大きくなる場合がある。ここでいう最高輝度の傾きとは、図示は省略するが、視聴的に適した最高輝度（縦軸）とＡＰＬ（横軸）との関係を示す特性カーブの低ＡＰＬ側（左側）の傾きであり、この特性カーブは低ＡＰＬ側ほど傾きが急峻となる。なお、特性カーブは、主観評価等で得られたデータを基に作成するものであり、実態とのずれが生じている（例えば、実態の特性が特性カーブと同じカーブで一定量横方向にずれていた場合、低ＡＰＬ側ほど最高輝度の差異が大きくなる）。
【０２６８】  一方、上記第１から第７実施形態のように、セグメント領域２２（ｍ）ごとの輝度設定値Ｌ（ｍ）の積算値ＬＳを求めて、この積算値ＬＳが閾値の範囲内になるように定めた係数（ＫＵ，ＫＬ）を各輝度設定値Ｌ（ｍ）に乗算する方式では、上記第８及び第９実施形態の方式と比較して画像毎の最高輝度のばらつきが低く抑えられる。しかし、上記第１から第７実施形態の方式では、積算値ＬＳが閾値の範囲内になるまで各輝度設定値Ｌ（ｍ）に係数（ＫＵ，ＫＬ）を繰り返し乗算する必要があるため、補正処理の演算に時間がかかる場合がある。そこで、タブレット端末１４３では、画像毎の最高輝度のばらつきを低く抑えつつ補正処理の演算時間の短縮化を図る。
【０２６９】  タブレット端末１４３は、第１実施形態のタブレット端末１０の輝度設定値補正処理と第８実施形態のタブレット端末１１０の輝度設定値補正処理との両方を実行する。このタブレット端末１４３は、そのＣＰＵ３３がバックライト輝度設定部１１２ａとして機能するとともに、内部記憶部２８ａに閾値５３及びテーブル１１３が格納されている点を除けば、上記第１及び第８実施形態のタブレット端末１０，１１０と基本的に同じ構成である。このため、上記第１及び８実施形態と機能・構成上同一のものについては、同一符号を付してその説明は適宜省略する。
【０２７０】  バックライト輝度設定部１１２ａは、前述の輝度設定値算出部４９及びＡＰＬ算出部１１４の他に、第１輝度制御部１４４と積算値算出部１４５と第２輝度制御部１４７とを備えている。
【０２７１】  第１輝度制御部１４４は、上述の第８実施形態（図２９参照）の輝度制御部１１５と基本的に同じものである。ただし、第１輝度制御部１４４は、係数乗算処理後の各輝度設定値Ｌ（ｍ）［以下、単に補正後輝度設定値Ｌ（ｍ）という］を積算値算出部１４５へ出力する。
【０２７２】  積算値算出部１４５は、第１輝度制御部１４４から入力される各補正後輝度設定値Ｌ（ｍ）を積算して積算値ＬＳＸ（図４５参照）を算出し、この積算値ＬＳＸを第２輝度制御部１４７へ出力する。
【０２７３】  第２輝度制御部１４７は、上述の第１実施形態（図４参照）の輝度制御部５１と基本的に同じものである。この第２輝度制御部１４７は、積算値ＬＳＸが予め定められた閾値５３の範囲内であるか否かを判定し、否と判定した場合には前述の図９に示した方法（ただし、図９中の積算値ＬＳを積算値ＬＳＸに置換）で各輝度設定値Ｌ（ｍ）を補正する。第２輝度制御部１４７は、補正済みの各輝度設定値Ｌ（ｍ）をバックライト制御部４６へ出力する。
【０２７４】  ＜第１３実施形態の作用＞  次に、図４５に示すフローチャートを用いて、上記構成のタブレット端末１４３の作用、特に静止画像の表示制御処理について説明を行う。なお、ステップＳ１からステップＳ９までの処理は、図３１に示した第８実施形態（ステップＳ１〜Ｓ５，Ｓ７〜Ｓ９）と同じであるので、ここでは説明を省略する。
【０２７５】  ＜第１輝度設定値補正処理＞  次いで、ＡＰＬ算出部１１４及び第１輝度制御部１４４による第１輝度設定値補正処理が開始される（ステップＳ１２０）。この第１輝度設定値補正処理は、前述の図３１に示した第８実施形態の輝度設定値補正処理（ステップＳ９０）と基本的に同じであるので、ここでは具体的な説明は省略する。ただし、第１輝度制御部１４４は、各輝度設定値Ｌ（ｍ）に対して係数ｋＣを乗算処理した後、各補正後輝度設定値Ｌ（ｍ）を積算値算出部１４５へ出力する。
【０２７６】  ＜第２輝度設定値補正処理＞  第１輝度設定値補正処理の終了後、積算値算出部１４５と第２輝度制御部１４７による第２輝度設定値補正処理が開始される（ステップＳ１２２）。
【０２７７】  最初に、積算値算出部１４５は、第１輝度制御部１４４から入力される各補正後輝度設定値Ｌ（ｍ）を積算して積算値ＬＳＸを算出し、この積算値ＬＳＸを第２輝度制御部１４７へ出力する（ステップＳ１２３）。次いで、第２輝度制御部１４７は、積算値ＬＳＸが上限値ＵＬよりも大きくなる場合（ステップＳ１２４でＮＯ）には、前述の図９に示したステップＳ１４〜Ｓ１７と同様に、減算処理（図示は省略）、ＫＵ乗算処理（Ｓ１２５）、及び積算値算出処理（Ｓ１２３）を行う。そして、第２輝度制御部１４７は、積算値ＬＳＸが上限値ＵＬ以下となるまで（ステップＳ１２４でＹＥＳ）、各処理（減算処理、ＫＵ乗算処理、積算値算出処理）を繰り返し実行する。
【０２７８】  また逆に、第２輝度制御部１４７は、積算値ＬＳＸが下限値ＬＬよりも小さくなる場合（ステップＳ１２７でＮＯ）には、前述の図９に示したステップＳ１８〜Ｓ２１と同様に、加算処理（図示は省略）、ＫＬ乗算処理（Ｓ１２８）、及び積算値算出処理（Ｓ１２９）を行う。そして、第２輝度制御部１４７は、積算値ＬＳＸが下限値ＬＬ以上となるまで（ステップＳ１２７でＹＥＳ）、各処理（減算処理、ＫＬ乗算処理、積算値算出処理）を繰り返し実行する。そして、ステップＳ１２７でＹＥＳと判定された場合、第２輝度制御部１４７は、補正済みの各輝度設定値Ｌ（ｍ）をバックライト制御部４６へ出力する。
【０２７９】  以上で第２輝度設定値補正処理が終了する。この際に、本実施形態では、予め第１輝度設定値補正処理を行っているので、この第１輝度設定値補正処理前の状態よりも各輝度設定値Ｌ（ｍ）の閾値５３（上限値ＵＬ、下限値ＬＬ）からのずれ量を減らすことができる。その結果、第２輝度設定値補正処理において、ＫＵ乗算処理やＫＬ乗算処理などを繰り返し実行する際の繰り返し数を減らすことができるので、補正処理に要する演算時間を短縮化することができる。
【０２８０】  以下、第１実施形態と同様に、液晶パネル１８の表示領域に画像データ３５に基づく画像が表示される（ステップＳ２２）。そして、操作パネル１９などにて新たな画像データ３５の選択操作（例えば表示切替操作）がなされると（ステップＳ２３でＹＥＳ）、前述の各ステップの処理が繰り返し実行される。また、操作部１５等にてスライドショー表示の操作がなされた場合には、前述の各ステップの処理が一定時間間隔で繰り返し実行される。
【０２８１】  ＜第１３実施形態の作用効果＞  このように本発明の第１３実施形態では、画像毎の最高輝度のばらつきが低く抑えられる第２輝度設定値補正処理前に予め第１輝度設定値補正処理を行うことにより、第２輝度設定値補正処理の演算時間を減らすことができる。その結果、最高輝度のばらつきを低く抑えつつ補正処理の演算時間の短縮化が図れる。
【０２８２】  なお、上記第１３実施形態では、静止画像表示を行う場合の輝度設定値補正処理について説明したが、動画表示を行う場合にも上記各実施形態を適宜組み合わせることで、フレーム単位、フレーム群単位、及びシーン単位でそれぞれ第１及び第２輝度設定値補正処理を行うことができる。
【０２８３】  ［その他］  上記各実施形態では閾値またはテーブルが予め内部記憶部２８ａに記憶されているが、例えば、インターネット等を介して外部から閾値またはテーブルを取得して外部記憶部２８ｂやＲＡＭ等に一時的に記憶させるようにしてもよい。この場合には、外部記憶部２８ｂやＲＡＭ等が本発明の閾値記憶部または対応関係記憶部として機能する。
【０２８４】  上記各実施形態では、各照明部２３（ｍ）の光源としてＬＥＤ２４を用いているが、ＬＥＤ以外の各種光源を用いることができる。
【０２８５】  上記各実施形態では、図６に示したように階調補正部４４がセグメント領域２２（ｍ）ごとのＵＭ（ｍ）に基づき画像データＤ（ｍ）に対して階調補正処理（ゲインアップ）を施している。この際に、ＬＥＤ２４（図２参照）は照明部２３（ｍ）の中央部に配置されているので、セグメント領域２２（ｍ）［照明部２３（ｍ）］におけるバックライト輝度分布は図６に示したような平坦な特性にならず、山型（通常、ガウス分布）の特性となる。また、隣接するセグメント領域２２（ｍ）からの漏れ光もある。このため、ＵＭ（ｍ）に基づき設定された輝度設定値Ｌ（ｍ）とＬＥＤ２４等の光源の特性とから、セグメント領域２２（ｍ）における実際のバックライト輝度分布を推定し、この推定結果に基づいて画像データＤ（ｍ）に対して階調補正処理を施してもよい。
【０２８６】  上記各実施形態では、ＫＵ乗算処理を繰り返し実行するごとに係数ＫＵを段階的に小さくしているが、係数ＫＵ（ＫＵ＜１）が固定値であってもよい。また、ＫＬ乗算処理を繰り返し実行するごとに係数ＫＬを段階的に大きくしているが、係数ＫＬ（ＫＬ＞１）が固定値であってもよい。
【０２８７】  上記第１〜第７、第１３実施形態では、本発明の第１の閾値に相当する上下限値ＵＬ，ＬＬ、第２の閾値に相当する上下限値ＵＬａ，ＬＬａ（ＵＬ，ＬＬ×フレーム群内のフレーム数）、及び第３の閾値に相当する上下限値ＵＬｂ，ＬＬｂ（ＵＬ，ＬＬ×シーン内のフレーム数）の各々の画像１枚当たりの閾値の大きさは同じ値（ＵＬ、ＬＬ）に設定されているが、これらを異ならせてもよい。例えば、積算値の算出対象となるフレーム画像の画像数の増加に伴い、上述の画像１枚当たりの閾値の大きさを適宜に増減させてもよい。
【０２８８】  上記第８〜第１３実施形態では、視聴に適したＡＰＬと係数ｋＣとの対応関係を示すテーブルを用いて輝度設定値補正処理を行うが、例えば視聴に適したＡＰＬと係数ｋＣとの対応関係を示す演算式などの各種対応関係を用いて輝度設定値補正処理を行ってもよい。
【０２８９】  上記各実施形態では、本発明の液晶表示装置としてタブレット端末を例に挙げて説明したが、スマートフォン、携帯電話機、ＰＤＡなどの各種の携帯端末、ＴＶ、フォトフレーム、モニタやディスプレイなどの各種の液晶表示装置にも本発明を適用することができる。なお、本発明をスマートフォンに適用した場合には、図３に示した音声入出力部２７が通話機能を有する通話部として機能する点を除けば、基本的な構成は上記各スマートフォンと基本的に同じある。また、本発明をスマートフォンに適用した場合には、その筐体として、折り畳み構造やスライド機構を有する構成を採用することもできる。
【符号の説明】
【０２９０】  １０，６０，６６，７５，８０，８５，９５，１１０，１２０，１２６，１３２，１３８，１４３…タブレット端末，１２…液晶表示部，１８…液晶パネル，２０…バックライト，２２（ｍ）…セグメント領域，２８…記憶部，３３…ＣＰＵ，３５…画像データ，４９…輝度設定値算出部，５０，６８，６８ａ…積算値算出部，５１，６９，６９ａ，１１５，１２４…輝度制御部，５３…閾値，６３…動画像データ，６３ａ…フレーム画像データ，８１…照度検出部，８２，９０，９８…閾値変更制御部，８９…視聴距離判別部，９７…電源判定部，１１３…テーブル，１１４，１２３…ＡＰＬ算出部
【図１】
0005875732.tif 000002
【図２】
0005875732.tif 000003
【図３】
0005875732.tif 000004
【図４】
0005875732.tif 000005
【図５】
0005875732.tif 000006
【図６】
0005875732.tif 000007
【図７】
0005875732.tif 000008
【図８】
0005875732.tif 000009
【図９】
0005875732.tif 000010
【図１０】
0005875732.tif 000011
【図１１】
0005875732.tif 000012
【図１２】
0005875732.tif 000013
【図１３】
0005875732.tif 000014
【図１４】
0005875732.tif 000015
【図１５】
0005875732.tif 000016
【図１６】
0005875732.tif 000017
【図１７】
0005875732.tif 000018
【図１８】
0005875732.tif 000019
【図１９】
0005875732.tif 000020
【図２０】
0005875732.tif 000021
【図２１】
0005875732.tif 000022
【図２２】
0005875732.tif 000023
【図２３】
0005875732.tif 000024
【図２４】
0005875732.tif 000025
【図２５】
0005875732.tif 000026
【図２６】
0005875732.tif 000027
【図２７】
0005875732.tif 000028
【図２８】
0005875732.tif 000029
【図２９】
0005875732.tif 000030
【図３０】
0005875732.tif 000031
【図３１】
0005875732.tif 000032
【図３２】
0005875732.tif 000033
【図３３】
0005875732.tif 000034
【図３４】
0005875732.tif 000035
【図３５】
0005875732.tif 000036
【図３６】
0005875732.tif 000037
【図３７】
0005875732.tif 000038
【図３８】
0005875732.tif 000039
【図３９】
0005875732.tif 000040
【図４０】
0005875732.tif 000041
【図４１】
0005875732.tif 000042
【図４２】
0005875732.tif 000043
【図４３】
0005875732.tif 000044
【図４４】
0005875732.tif 000045
【図４５】
0005875732.tif 000046